(57)【要約】  本発明は、個人衛生用の吸収性物品を提供する。より詳細には、一実施形態において、吸収性物品は少なくとも１つの特性変化インジケータを含む。少なくとも１つのセンサを含む検出器デバイスもまた提供される。センサは、吸収性物品の特性変化インジケータの特性の変化を検出するように適合されている。特定の一実施形態では例えば、特性変化インジケータとしては、光学特性インジケータ（例えば色変化インジケータ）を挙げることができ、センサとしては光学センサ（例えば色センサ）を挙げることができる。
2019512676.tif 000002
【特許請求の範囲】
【請求項１】
身体排泄物を吸収し収容するように設計された吸収性物品を監視するためのシステムであって、前記システムは、
身体排泄物の有無に応じて少なくとも１つの光学特性を変化させるように適合した光学特性変化インジケータを含み、前記吸収性物品と前記インジケータが１つの一体化ユニットを形成している、吸収性物品と、
ハウジング、光学センサ、及び前記光学センサから離間した照明を含み、前記光学センサは前記インジケータの前記光学特性の前記変化を検出するように適合されている、光学センサ検出器デバイスと、を含み、
前記吸収性物品及び前記検出器デバイスのうち少なくとも１つは、互いに結び付けられるように、また、互いに対する結び付けが解除されるように適合されており、前記吸収性物品及び前記検出器デバイスが互いに結び付けられたときに、前記検出器デバイスは、前記インジケータの前記光学特性の変化を検出するように適合されている、システム。
【請求項２】
前記光学センサは、色センサ検出器デバイスを含む、請求項１に記載のシステム。
【請求項３】
前記照明は、ＬＥＤ及びＯＬＥＤを含む群のうち少なくとも１つを含む、請求項１又は２に記載のシステム。
【請求項４】
前記光学センサは、フォトダイオード、フォトトランジスタ、電子管検出器、感光素子、光電子増倍管、光電管、光検出器、光半導体検出器、フォトダイオード、フォトトランジスタ、光電子増倍器、イメージセンサ、赤外検出器、熱センサ、照度センサ、可視光センサ、及び色センサを含む群のうち少なくとも１つを含む、請求項１〜３のいずれか一項に記載のシステム。
【請求項５】
前記光学センサ検出器デバイスの前記照明及びセンサは、互いから少なくとも５ｍｍ離間している、請求項１〜４のいずれか一項に記載のシステム。
【請求項６】
前記光学特性変化インジケータは、少なくとも１種類の身体排泄物が存在するときに色変化を誘発する化学物質を含む、請求項１〜５のいずれか一項に記載のシステム。
【請求項７】
前記光学特性変化インジケータは、ｐＨ感受性組成物を含む、請求項１〜６のいずれか一項に記載のシステム。
【請求項８】
前記吸収性物品は、ポケット、スリーブ、ループ、接着剤、接着テープ、メカニカルファスナ、フックファスナ、ループファスナ、スナップ、スロット、穴、ボタン、ベルト、マグネット、マグネット式ファスナ、常磁性ファスナ、粘着式ファスナ、及びストラップを含む群のうち少なくとも１つから選択されるコネクタを含む、請求項１〜７のいずれか一項に記載のシステム。
【請求項９】
前記吸収性物品コネクタは、前記検出器デバイスを、前記吸収性物品の前記特性変化インジケータに近接させて、前記吸収性物品に取り付けるように適合されている、請求項８に記載のシステム。
【請求項１０】
前記検出器デバイスは、ループ、接着剤、接着テープ、メカニカルファスナ、フックファスナ、ループファスナ、スナップ、スロット、穴、ボタン、ベルト、マグネット、マグネット式ファスナ、常磁性ファスナ、粘着式ファスナ、及びストラップを含む群のうち少なくとも１つを含む、請求項１〜９のいずれか一項に記載のシステム。
【請求項１１】
身体排泄物の有無は、少なくとも部分的には検出される前記光学特性の変化、及び前記光学センサとは独立した情報に基づいて決定される、請求項１〜１０のいずれか一項に記載のシステム。
【請求項１２】
前記光学センサとは独立した前記情報は、前記吸収性物品の着用時間、前記吸収性物品が着用者に取り付けられた時間、現在の時間、吸収性物品着用者の情報、着用者の性別、着用者の体重、着用者の身長、着用者の年齢、着用者の食性、着用時間中の活動、着用者又は介護人の好み、生物測定情報、人口統計情報を含む群から選択される情報を含む、請求項１１に記載のシステム。
【請求項１３】
前記システムは、遠隔コンピュータデバイスを更に含み、前記検出器デバイスは、前記吸収性物品中に存在する身体排泄物の量の、前記遠隔コンピュータデバイスによる予測が可能となるように、前記遠隔コンピュータデバイスに情報を提供する、請求項１〜１２のいずれか一項に記載のシステム。
【請求項１４】
前記システムは、前記光学センサから離間した第２のセンサを更に含み、前記第２のセンサは、前記吸収性物品の光学特性の変化を検出するように適合されている、請求項１〜１３のいずれか一項に記載のシステム。
【請求項１５】
前記第２のセンサは、前記光学センサから少なくとも２ｃｍ離間している、請求項１４に記載のシステム。
【請求項１６】
前記光学センサは、前記吸収性物品の累進的な光学特性の変化を検出するように適合されている、請求項１〜１５のいずれか一項に記載のシステム。
【請求項１７】
前記検出器デバイスは、Ｂｌｕｅｔｏｏｔｈ通信モジュール、ＢＴＬＥ通信モジュール、メッシュ通信モジュール、ＷｉＦｉ通信モジュール、ＩＥＥＥ  ８０２で定義される１つ以上のプロトコルを組み込む通信モジュール、ＲＦＩＤモジュール、３Ｇ通信モジュール、４Ｇ通信モジュール、後方散乱通信モジュール、光通信モジュール、音通信モジュール、及びハーベスティングプロトコル通信モジュールを含む群のうち少なくとも１つから選択される通信モジュールを含む、請求項１〜１６のいずれか一項に記載のシステム。
【発明の詳細な説明】
【技術分野】
【０００１】
本開示は、個人衛生用吸収性物品、及びそのような吸収性物品を監視するためのシステムに関する。
【背景技術】
【０００２】
個人衛生用吸収性物品は、身体排泄物、例えば多量の尿を吸収し収容するように設計されている。使い捨て吸収性物品の非限定例としては、おむつ、パンツ、トレーニングパンツ、パッド、成人用失禁製品、並びに女性用衛生製品（例えば生理用ナプキン及びタンポンを含む）が挙げられる。使い捨て吸収性物品の他の例としては、包帯及び創傷被覆材が挙げられる。いくつかの実施形態では、例えば、吸収性物品は、異なる機能を付与するいくつかの層、例えばトップシート、バックシート、及びそれらの間の吸収性コアなどを含む。
【０００３】
吸収性コアの機能は、排泄物を長時間（例えば、おむつの場合は終夜）吸収しかつ保持すること、再湿潤を最小限に抑えて着用者を乾いた状態に維持すること、並びに衣類又はベッドシーツが汚れることを回避することである。現在市販されている吸収性物品の大半は、吸収性材料として、吸収性ゲル材料（ＡＧＭ）とも称される、粉砕木材パルプと超吸収性ポリマー粒子（ＳＡＰ）との粒子形態のブレンドを含む。これについては、例えば米国特許第５，１５１，０９２号（Ｂｕｅｌｌ）を参照されたい。吸収性材料としてＳＡＰから本質的になるコア（いわゆる「エアフェルトを含まない」コア）を有する吸収性物品もまた提示されているが、従来の混合型コアほど一般的ではない（例えば国際公開第２００８／１５５６９９号（Ｈｕｎｄｏｒｆ）、同第９５／１１６５２号（Ｔａｎｚｅｒ）、同第２０１２／０５２１７２号（Ｖａｎ  Ｍａｌｄｅｒｅｎ）を参照のこと）。
【０００４】
米国特許第８，１１１，１６５（Ｂ２）号は、体重による圧力、又は失禁による湿度などの状態を感知するためのセンサについて開示している。センサは、信号処理装置、トランスミッタ、及び、典型的には電池の形態の電源を含む。これらの要素は、人体に隣接させて配置可能となるような、小さな外形の可撓性基材上に配置される。更に、トランスミッタのアンテナが基材上に設けられる。
【先行技術文献】
【特許文献】
【０００５】
【特許文献１】米国特許第５，１５１，０９２号
【特許文献２】国際公開第２００８／１５５６９９号
【特許文献３】国際公開第９５／１１６５２号
【特許文献４】国際公開第２０１２／０５２１７２号
【特許文献５】米国特許第８，１１１，１６５（Ｂ２）号
【発明の概要】
【発明が解決しようとする課題】
【０００６】
このデバイスは人体の状態の監視を可能にし、湿度センサとして使用することもまた可能であるが、比較的高コストなソリューションとなる。センサを（使い捨て）吸収性物品と共に廃棄してしまうことは、不適切と考えられる。しかし、センサを再利用する場合、感知エリアは、既に湿気に曝されていた場合もある。したがって、このコンセプトでは簡便な使用が可能とはならない。
【課題を解決するための手段】
【０００７】
一実施形態では、１種類以上の身体排泄物を吸収し収容するように設計された吸収性物品を監視するためのシステムが提供される。本実施形態において、システムは吸収性物品と検出器デバイスとを含む。吸収性物品は、少なくとも１つの特性変化インジケータを含む。特性変化インジケータは、身体排泄物の有無に応じて、少なくとも１つの物理的、化学的、又は生物学的特性を変化させるように適合されている。吸収性物品及びインジケータは、１つの一体化ユニットを形成する。検出器デバイスは、吸収性物品の第１の位置にて、少なくとも１つのインジケータの少なくとも１つの物理的、化学的、又は生物学的特性の変化を検出するように適合された第１のセンサと、第１の位置から離間した吸収性物品の第２の位置にて、少なくとも１つのインジケータの少なくとも１つの物理的、化学的、又は生物学的特性の変化を検出するように適合された第２のセンサと、を含む。吸収性物品及び検出器デバイスのうち少なくとも１つは、互いに結び付けられるように、また、互いに対する結び付けが解除されるように適合されており、吸収性物品及び検出器デバイスが互いに結び付けられたときに、検出器デバイスは、インジケータの特性の変化を検出するように適合されている。
【０００８】
別の実施形態では、身体排泄物を吸収し収容するように設計された、吸収性物品を監視するためのシステムが提供される。本実施形態において、システムは吸収性物品と検出器デバイスとを含む。吸収性物品は、身体排泄物の有無に応じて少なくとも１つの光学特性を変化させるように適合された、光学特性変化インジケータを含む。吸収性物品及びインジケータは、１つの一体化ユニットを形成する。光学センサ検出器デバイスは、ハウジング、光学センサ、及び光学センサから離間した照明を含む。光学センサは、インジケータの光学特性の変化を検出するように適合されている。吸収性物品及び検出器デバイスのうち少なくとも１つは、互いに結び付けられるように、また、互いに対する結び付けが解除されるように適合されており、吸収性物品及び検出器デバイスが互いに結び付けられたときに、検出器デバイスは、インジケータの光学特性の変化を検出するように適合されている。
【０００９】
更に別の実施形態において、吸収性物品が提供される。吸収性物品は、バックシート、トップシート、及び、バックシートとトップシートとの間に配置された吸収性コアを含む。吸収性物品は、吸収性物品内に配置された光学特性変化インジケータを更に含む。光学特性インジケータは、吸収性物品内の１種類以上の身体排泄物に応じて、光学特性変化インジケータの光学特性を変化させるように適合されている。吸収性物品は、吸収性物品内に配置され、かつ光学特性インジケータから離間した特性変化インジケータを更に含む。特性変化インジケータは、１種類以上の身体排泄物の有無に応じて、特性変化インジケータの物理的、化学的、又は生物学的特性を変化させるように適合されている。
【００１０】
更に別の実施形態において、検出器デバイスが提供される。検出器デバイスは、ハウジング、照明、照明から離間した光学センサ、通信モジュール、並びに、電力を照明及び光学センサに供給するように適合された少なくとも１つの電池を含む。光学センサは、吸収性物品の少なくとも１つの光学特性の変化を検出するように適合されている。
【００１１】
別の実施形態では、吸収性物品が提供される。吸収性物品は、バックシート、トップシート、及び、バックシートとトップシートとの間に配置された吸収性コアを含む。吸収性物品は、吸収性物品内に配置された光学特性変化インジケータを更に含む。光学特性変化インジケータは、吸収性物品内の１種類以上の身体排泄物に応じて、光学特性変化インジケータの光学特性を変化させるように適合されている。吸収性物品は、吸収性物品内に配置され、かつ光学特性インジケータから離間した特性変化インジケータを更に含む。特性変化インジケータは、１種類以上の身体排泄物の有無に応じて、特性変化インジケータの物理的、化学的、又は生物学的特性を変化させるように適合されている。
【００１２】
更に別の実施形態において、吸収性物品の監視方法を提供する。本方法は、吸収性物品内の身体排泄物の有無を検出することを含む。本方法は、吸収性物品中の身体排泄物の有無の検出に応じて、おむつにおけるインジケータの少なくとも１つの物理的、化学的、又は生物学的特性を変化させることもまた含む。本方法は更に、離間したセンサと照明の対を含む検出器デバイスを介して、インジケータの少なくとも１つの物理的、化学的、又は生物学的特性の変化を検出する。
【図面の簡単な説明】
【００１３】
【図１】いくつかの層が部分的に取り除かれたおむつの形態の、本発明の一実施形態に従った吸収性物品の上面図である。
【図２】クロッチ領域における、図１の実施形態の横断断面図である。
【図３】吸収性物品の別の実施形態の、対応する横断断面図である。
【図４】本発明の一実施形態の、更なる対応する横断断面図である。
【図５】図４に示すものなどの、おむつの外に取り外し可能に取り付けることができる、再利用可能な検出器デバイスの例示的実施形態の、部分的概略図を示す。
【図６】１つ以上のおむつと取り外し可能に連結するように適合された、検出器デバイスの例示的実装についてのブロック図を示す。
【図７】図６に示すものなどの、検出器デバイスの外側の例示的実施形態の上面図、下面図、及び側面図を示す。
【図８】図６及び図７に示す検出器デバイスなどの検出器デバイスを受容するように適合されている、おむつの外側の取り付けゾーンの例示的実施形態を示す。
【図９】おむつ内の１種類以上の身体排泄物を検出するために使用可能な、例示的動作のフローチャートを示す。
【図１０】１つ以上の検出器デバイスの例示的実施形態の、離間した光学センサと照明要素６０４の対の例示的実施形態を示す。
【図１１】検出器デバイスの別の例示的実施形態を示す。本実施形態において、例えば、光学センサと照明要素は互いから離間している。
【図１２】複数の離間した光学センサと照明の対を含む、検出器デバイスの別の例示的実施形態を示す。
【図１３】複数の離間した光学センサと照明の対を含む、検出器デバイスの更に別の例示的実施形態を示す。
【図１４】複数の離間した光学センサと照明の対を含む、検出器デバイスの更に別の例示的実施形態を示す。
【図１５】吸収性物品に連結した検出器デバイスを含む、吸収性物品の例示的実施形態を示す。
【図１６】吸収性物品内に配置された複数の特性変化インジケータを含む、吸収性物品の別の例示的実施形態を示す。
【図１７】吸収性物品内に配置された複数の特性変化インジケータを含む、吸収性物品の更に別の例示的実施形態を示す。
【発明を実施するための形態】
【００１４】
序論
本明細書で使用する場合、用語「吸収性物品」とは、体から出てくる様々な排泄物を吸収して収容する、着用者の体に接触して、又は体に近接して配置される使い捨てのデバイス、例えば幼児用又は成人用おむつ又はパッド、パンツ、トレーニングパンツなどを意味する。典型的には、これらの物品は、トップシート、バックシート、吸収性コア、及び任意選択的な（１つ又はいくつかの層を含んでいてもよい）捕捉システム、並びに、典型的には、他の構成要素を含み、ここで、吸収性コアは通常、バックシートと捕捉システム又はトップシートとの間に配置される。
【００１５】
本発明の吸収性物品について、以下の説明において、かつ図において、テープ付きおむつの形態で更に例解することにする。しかしながら、この説明におけるいかなる内容も、別段の明確な指示がない限り、特許請求の範囲を制限するものと見なされるべきではない。別段の指示がない限り、この説明は、乾燥している物品、即ち使用前であり、少なくとも２４時間、２１℃±２℃及び５０±２０％の相対湿度（ＲＨ）に調整されている物品を指す。
【００１６】
本明細書で使用するとき、「不織布ウェブ」とは、摩擦及び／又は粘着及び／又は接着によって結合させた、指向的又はランダムに配向された繊維から製造されたシート、ウェブ、又は打延べ綿シートを意味し、紙、及び更なるニードル加工の有無を問わず、からみ糸若しくはフィラメントを組み込んだ織成製品、編成製品、タフテッド製品、ステッチボンド製品、又は湿式縮充によるフェルト製品は含まない。繊維は、天然又は人工物由来であってもよく、ステープル若しくは連続フィラメントであっても、又はその場で形成されたものであってもよい。市販の繊維は、約０．００１ｍｍ未満〜約０．２ｍｍを超える範囲の直径を有し、短繊維（ステープル又はチョップドとして知られる）、連続単繊維（フィラメント又はモノフィラメント）、未撚連続フィラメント束（トウ）、及び連続フィラメントの撚糸束（ヤーン）などの、いくつかの異なる形態で提供される。不織布ウェブは、メルトブロー法、スパンボンド法、溶媒紡糸法、電界紡糸法、カーディング法、及びエアレイイング法などの多くのプロセスによって形成され得る。不織布ウェブの坪量は通常、Ｐａ（グラム毎平方メートル（ｇ／ｍ２又はｇｓｍ））で表される。
【００１７】
用語「接合された」又は「結合された」又は「取り付けられた」は、本明細書で使用する場合、ある要素を別の要素に直接固定することによりその要素が別の要素に直接固定される構成と、ある要素を中間部材に固定し、次に中間部材を他の要素に固定することにより、その要素が別の要素に間接的に固定される構成と、を包含する。本用語は、ポケット又は他のコネクタが、吸収性物品の領域内に形成される、又は領域に取り付けられている実施形態を更に含む。更に、これらの用語は、要素が取り外し可能に、又は取り外し不可能に接合、結合、又は取り付けられている構成を含む。例えば、要素が構成内で「接合」していると表現される場合、別途記載のない限り、又は文脈から明らかでない限り、その要素は取り外し可能に接合しているか、又は取り外し不可能に接合しているかのいずれかであり得る。
【００１８】
用語「含む」、「備える」（comprise、comprising、及びcomprises）はオープンエンドの用語であり、それぞれ、後に続くもの（例えば構成要素）の存在を明記するが、他の特徴、例えば当該技術分野において公知の、又は本明細書にて開示されている要素、工程、構成要素の存在を排除するものではない。動詞「含む」「備える」に基づくこれらの用語は、明記されていない任意の要素、工程、又は成分を除外する「からなる」、並びに、明記された材料又は工程及び、要素がその機能を実施する方式に実質的に影響を与えないものに要素の範囲を限定する「本質的に〜からなる」という、より狭義の用語を包含するものとして読まれるべきである。以下に記載する好ましい又は例示的な実施形態はいずれも、特許請求の範囲を限定することが具体的に示されていない限り、特許請求の範囲を限定しない。「典型的には」、「通常は」、「有利には」などの語もまた、明確な指定がない限り、特許請求の範囲を制限することが意図されない要素を修飾する。
【００１９】
吸収性物品の概説
吸収性物品は、身体排泄物の有無を示すように適合された、１つ以上のインジケータを含む。いくつかの実施形態において、インジケータは例えば、インジケータの特性（例えば、色、臭い、音、ｐＨなどの物理的、化学的、又は生物学的特性）の１つ以上の変化により、吸収性物品内での身体排泄物の有無、及び／又はこれらの身体排泄物の１つ以上の特性に反応するインジケータを含んでよい。インジケータの１つ以上の特性又は状態を、吸収性物品と物理的に、及び／又は通信可能に連結した検出器デバイスにより検出することができる。ある特定の実装においては例えば、インジケータは、吸収性物品内での身体排泄物の有無に関連したｐＨの変動に応じて光学特性（例えば色）を変える、光学特性変化組成物又はデバイス（例えば色変化組成物又はデバイス（色変化インジケータなど））を含む。インジケータはまた、吸収性物品の１つ以上の異なる領域で検出される、異なる種類の指標、及び／又は身体排泄物（若しくは身体排泄物の特性）の指標をもたらす、同一の又は異なる種類の１つ以上の追加のインジケータを含んでもよい。一実施形態では、例えば、第２の電気インジケータは、抵抗感受性、容量感受性、誘電感受性、又は導通感受性インジケータを含んでよい。抵抗感受性インジケータは例えば、互いに対して所与の空間距離で配置される２つの導電体を設けることにより提供することができる。典型的には液体部分を含む身体排泄物が、これら２つの導電体と接触すると、これら２つの導電体間での抵抗は減少する。また、吸収性物品用センサに関して、当該技術分野で公知の他のインジケータも有用であり得る。特定の一実施形態では例えば、複数の特性変化インジケータが、吸収性物品内の同一の又は異なる位置に提供されてよい。例えば、光学特性変化インジケータ（例えば色変化インジケータ）を、吸収性物品の第１の位置に配置してよく、同一の又は異なる種類のインジケータである、第２の特性変化インジケータ（例えば色変化インジケータなどの別の光学特性変化インジケータ）を、吸収性物品の第２の位置に配置してよい。
【００２０】
吸収性物品及び１つ以上のインジケータが、一体化ユニットを形成するように提供される。一体化ユニットを形成するために、インジケータを吸収性物品に、直接又は間接的に取り付けることができる。物品への直接又は間接的な取り付けは典型的には、物品の１つ以上の識別可能な要素に対するものである。例えば、インジケータ、及び物品のバックシートが１つの一体化ユニットを形成するように、物品のバックシートにインジケータを取り付けることが有用な場合がある。例えば、インジケータをシート形態で提供する場合、当該シートは、物品のバックシートに接着により取り付けられてよい。当該シートはまた、バックシートと同じ１つの材料からもたらされ得るが、この材料は、予め画定されている領域内にインジケータを提供するために、適切な方法で取り扱われる。
【００２１】
特定の一実施形態に従うと、検出器デバイスもまた提供される。本実装において、検出器デバイスはハウジングを含み、また、吸収性物品に物理的に連結されるように適合されており、これにより検出器デバイスは、吸収性物品と一体化した１つ以上のインジケータに対して伝達可能に、更に連結される。検出器デバイス及び／又は吸収性物品は、取り外し可能に検出器デバイスを吸収性物品と接合するための、１つ以上のコネクタを含んでいてもよい。検出器デバイスが吸収性物品に取り付け可能であり、かつ、１つ以上のインジケータを含む吸収性物品から取り外し可能となるようなコネクタが提供される。検出器デバイスは一体化ユニットに取り付け可能であり、一体化ユニットから取り外し可能である。特定の一実施形態では例えば、検出器デバイスは、吸収性物品と一体化したインジケータに近接した吸収性物品の領域に取り付け可能であり、また、吸収性物品のその領域から取り外し可能である。
【００２２】
一実施形態において、検出器デバイスのハウジングは、第１の方向への外側拡張部（outer extension）、及び、第１の方向とは垂直の第２の方向への外側拡張部を有する。本実施形態において、第１の方向は、特有の方向、例えば主軸に沿って、そして通常はハウジングの最長の拡張部（extension）の方向として選択されてよい。デバイスの安全性、及び便利な取扱いのため、デバイスは、第１の方向に少なくとも１ｃｍ、２ｃｍ、３ｃｍ、４ｃｍ又はそれ以上（しかし通常は１５ｃｍ未満）の長さを有し、デバイスは第２の方向に少なくとも１ｃｍ、２ｃｍ、３ｃｍ又はそれ以上（しかし通常は１５ｃｍ未満）の長さを有することが有用であり得る。特定の一実施形態では例えば、ハウジングは、少なくとも約２．５センチメートル（１インチ）の第１の寸法、及び少なくとも約５センチメートル（２インチ）の第２の寸法を有する。様々な実施形態において、ハウジングは剛性、又は少なくとも部分的に若しくは完全に可撓性であることができる。可撓性とするためには、検出器デバイスは可撓性の電子部品（及び基板）を組み込むことができる。
【００２３】
一実施形態に従うと、検出器デバイスは１つ以上の光学センサ、例えば色センサを含む。この光学センサは、光学センサにより観察される光学特性（例えば色）に応じた出力を生成することができる。広範な波長にまたがる光学センサのいくつかの例は、電子管検出器、感光素子、光電子増倍管、光電管、光検出器、光半導体検出器、フォトダイオード、光電子増倍器、イメージセンサ、赤外検出器、熱センサ、照度センサ、可視光センサ、及び色センサである。特定の一実施形態では例えば、光学センサは、ＡＭＳ−ＴＡＯＳ  ＵＳＡ  Ｉｎｃ．から市販されているＴＣＳ  ３４７２５色センサなどのフォトダイオードを含むことができる。
【００２４】
他の実施形態では例えば、適用時に十分な周辺光がもたらされる場合、光が他の箇所（例えば、吸収性物品若しくは衣類と関連する他の箇所、又は環境内の他の箇所）にもたらされる場合、あるいは、特性変化インジケータの特性変化が光なしで検出可能な場合などにおいては、検出器デバイスが光源を含む必要はない。
【００２５】
多くの場合、検出器デバイスは、光をある領域に放出するための１つ以上の照明、例えば発光ダイオード（ＬＥＤ）、有機発光ダイオード（ＯＬＥＤ）、白熱電球、熱電子光発光（thermionic light emission）、ルミネセンス（例えばとりわけ、蛍光、化学発光、電界発光（例えばＬＥＤ））もまた含み、その光の波長又はスペクトルは光学センサにより評価され得る。色検出のいくつかの実施形態において、色変化インジケータの色を評価するために光学センサを最適化することができる。光学センサは、可視光及び不可視光、即ち近赤外範囲の光に感受性であることができる。様々な実施形態において、紫外、可視赤外、及び近赤外波長を使用してよい。色変化インジケータは例えば、身体排泄物の有無に基づいて、及び／又は、吸収性物品に関して監視されている、いくつかの他の条件に応じて、その色を変化させることが可能である。本実施形態において、色センサは、身体排泄物の有無に応じて変化する出力をもたらすことができる。
【００２６】
様々な実施形態において、身体排泄物の有無、又は、吸収性物品に関して監視される他の条件に応答する、本質的に任意の既知の色変化インジケータが有用となり得る。化学物質を含む色変化インジケータを利用することが有用であり得る。このような化学物質は、身体排泄物が存在するときに色の変化を誘発することができる。色変化インジケータの有用な一形態としては、ｐＨ感受性インジケータを含む。身体排泄物は例えば、その環境でのｐＨ値に影響を及ぼし得る。同様に、吸収性物品内の構成要素は、１種類以上の身体排泄物との接触に応じて、環境のｐＨを変化させ得る。１つの特定の実施形態では、例えば、ＡＧＭが尿、又は身体排泄物中に存在する他の液体の存在下で膨潤し、ＡＧＭの膨潤は、吸収性物品内の環境のｐＨを変化させる。したがって、本実施形態及び他の実施形態において、ｐＨ感受性インジケータを使用することができ、かつ検出器デバイスにより検出することができる。
【００２７】
他の有用なインジケータは、生物学的、又は物理学的センサ材料を含むことができる。当業者は、多数の有用な生物学的センサ材料を認識している。物理的センサは、材料が伸展する際に色が変化する材料によりもたらされ得る。材料の伸展は、吸収性コアの膨潤により引き起こされ得る。生物学的センサは、対象物質と相互作用するバイオレセプタ、例えばトリプシン又はウレアーゼを含んでよい。例えば、バイオレセプタは、特定の対象物質を検出する際に、吸収性物品の特性の変化（例えば色又は他の光学変化）をもたらす試薬／対象物質相互作用を利用し得る。特定の一実施形態では例えば、バイオレセプタは、同様に対象物質に結合可能な、固定化した結合試薬を利用し得る。固定化した試薬は例えば、検出器デバイスのセンサにより検出可能な検出ゾーンに配置され得る。
【００２８】
更にインジケータは、熱変色性インク、熱変色性染料、熱変色性液晶材料、及びこれらの組み合わせを含むか、これらから本質的になるか、又はこれらからなる群から選択される材料を含むことができる。これらのインジケータは例えば、吸収性物品及び／又は吸収性物品の着用者に関連する他の条件、例えば体温又は発熱インジケータを監視するように機能することができる。
【００２９】
本実施形態は、吸収性物品に対する、指標デバイスの取り外しを可能にし、同様に、再締着をも可能にする１つ以上のコネクタを有用に利用することができる。このようなコネクタは、１種類以上の接着剤又は凝集剤を含むことができる。このようなコネクタは、ストラップベースのファスナ、又は少なくとも１つのボタン若しくは少なくとも１つのマグネットを含むファスナなどの、１つ以上のメカニカルファスナを更に含んでもよい。メカニカルファスナの群の中でも、面ファスナが有用である。フック部分を吸収性物品に取り付ける、又はループ部分を吸収性物品に取り付けることが有用な場合がある。次に、対応する部分を検出器デバイスに取り付けることができる。
【００３０】
有用な一実施形態において、面ファスナのループ部分を、吸収性物品と一体的に提供することができる。例えば、吸収性物品のバックシートの外側が生地材料、例えば不織材料からもたらされる場合、そのような材料でもたらされるループは、ファスナのフック部分のフックと相互作用することができる。
【００３１】
追加的に、又は代替的に使用可能な、（コネクタとして使用可能な）代替形態のメカニカルファスナもまた存在する。例えば、ポケットを吸収性物品の領域内に形成することができる。例えば、そのようなポケットをバックシートの複数の層の間に形成することができる。ポケットはまた、他の複数の層の間に形成することもできる。例えば、おむつをクロッチ部分及びベルト部分を含むパンツ型おむつとして提供することができる。クロッチ部分及びベルト部分を、接着的に、又は、例えば圧着により機械的に接合することができる。接着接合の領域において、特定の部分に接着剤が存在せず、かつ外側からアクセス可能であることができる。この部分はむしろ、検出器デバイスを受容するためのポケットとして機能することができる。ベルト、ストラップ、又は他のデバイスを使用して、吸収性物品に対して検出器デバイスを配置して保持することができる。また、検出器デバイスは、吸収性物品を着用するユーザが着る衣類物品に接合、又は保持されてもよい。
【００３２】
検出器デバイスは、一態様では、身体排泄物の有無を示す情報を提供する。このような検出器デバイスは、様々な出力及び／又は表示素子を含むことができる。簡素な出力素子はＬＥＤ、ＯＬＥＤ、又は同様のランプを含むことができる。例えば、身体排泄物が存在しないこと、又は少量の身体排泄物のみが存在することの指標として緑色光を使用することができ、一方で、赤色光は多量の身体排泄物が存在し、そのため、通常は吸収性物品を交換する必要があることを示すことができる。情報をより総合的な形態で提供することが可能であり、それ故（例えば小型モニタの形態の）表示素子が有用な場合がある。そのようなモニタ、又は同様の表示素子に表示される情報としては、吸収性物品の溜まり（load）具合、新品の吸収性物品が適用された時間などについての情報を挙げることができる。
【００３３】
出力素子又は表示素子を、ハウジングの中に提供する、又は検出器デバイスに取り付けることができる。出力素子としては例えば、視覚的出力デバイス（例えばディスプレイ、ＬＥＤなど）、聴覚的出力デバイス（例えばスピーカー）、触覚出力デバイスなどを挙げることができる。
【００３４】
出力素又は表示素子はまた、個別のユニットで提供することもできる。このような個別のユニットは他の機能も有することができる。この場合、表示素子として使用するために、ディスプレイを備える携帯電話、又は他のパーソナルデジタルアシスタントを用いることが有用な場合がある。表示素子は（ラップトップコンピュータ又はタブレットコンピュータを含む）コンピュータであることもまた可能である。検出器デバイスから得られる情報はまた、そのようないくつかのユニットに同時に表示することができる。情報はユニット上に同じフォーマットで、又は類似のフォーマットで表示され得る。例えば、コンピュータ上でのより詳細な情報の表示を、携帯電話での簡素化された情報の表示と組み合わせることができる。追加的に、又は代替的に、出力素子は音響表示デバイスもまた含むことができ、コンピュータが生み出す音声に依存することもできる。場合によってはまた、情報は表示されないか又は提供されない、あるいは、表示されないか又は提供されないだけでなく、データ収集用データストレージデバイスに振り向けられる。
【００３５】
特定の一実装において、個別のユニットは、検出器デバイスの周りの領域（例えば家、アパートなどの中）に、任意のディスプレイ又は出力デバイスを含むことができる。個別のユニットは、検出器と通信可能に連結され得る複数の入力／出力ノードを更に含んでよく、例えば、視覚及び／又は音声出力（例えば「おむつの交換が必要です」といったもの）を提供し得る、Ａｍａｚｏｎ（登録商標）Ｅｃｈｏ（登録商標）デバイスなどがある。
【００３６】
個別のユニットに情報を提供するために、検出器デバイスは、表示素子を含むユニットに情報を報知する（broadcast）か、又は他の様式で送信することができる。当業者は、そのような報知をもたらすために有用な規格、例えばＢｌｕｅｔｏｏｔｈ、ＢＴＬＥ、メッシュ（例えばＩＥＥＥ  ８０２．１５．４）、ＷｉＦｉ（例えばＩＥＥＥ  ８０２．１５．１１）、ＩＥＥＥ  ８０２又は同様の通信規格の全て、又は任意の部分を組み込む通信、ＲＦＩＤ、３Ｇ又は４Ｇ通信、後方散乱通信、光通信、音／音響通信、ハーベスティングプロトコル通信（例えばメタデータ・ハーベスティング・プロトコル）を認識している。他の通信プロトコル、又は通信プロトコルの組み合わせ（例えばＢｌｕｅｔｏｏｔｈ／メッシュ一体化プロトコル）を用いることができる。追加的に、又は代替的に、音響的又は光学的な報知が有用である。
【００３７】
また、更なる実施形態において、多数の吸収性物品と検出器デバイスを含むキットも提供され、検出器デバイスは、ハウジングとコネクタを含み、検出器デバイスを吸収性物品のいずれか１つに接続することができるようになっている。吸収性物品、及び検出器デバイスはそれぞれ、本明細書で記載する更なる特徴のうちの任意のものを含んでいてよい。したがって、検出器デバイスは多数あるうちの第１の吸収性物品にて使用することが可能であり、吸収性物品は使用後に廃棄することが可能であり、検出器デバイスは別の（新品の）吸収性物品にて再利用することが可能である。
【００３８】
幼児用おむつ１０の形態の一実施形態に従った例示的吸収性物品を、図１及び図２に示す。
【００３９】
図１は、例示的なおむつ１０の平らに広げられた状態の平面図であり、構造の一部分を切り欠き、おむつ１０の構造をより明瞭に示している。多くの実施形態で多種多様のおむつ又は他の吸収性物品を用い得るため、このおむつ１０は例示目的のためだけに示されている。おむつは前縁部１２から、長手方向に対向した後縁部１４に向かって延びる。おむつは左側縁部１６、及び横断方向に対向した右側縁部１８を含む。おむつ１０は、少なくとも部分的に液体透過性のトップシート２２と、事実上液体不透過性のバックシート２４との間に配置された、吸収性コアを含む。
【００４０】
図１において、「Ｘ」は、おむつの幾何学的中心を通る横断路を表し、軸「Ｙ」は長手方向を表す。領域Ａは、長手方向に見た場合のおむつの前領域を表し、Ｃは、長手方向に見た場合のおむつの後領域を表し、Ｂは、長手方向に、領域Ａと領域Ｂとの間に配置された中央領域又はクロッチ領域を表す。Ｌは、長手方向に測定した、前縁部１２から後縁部１４へのおむつの長さを表す。
【００４１】
物品は、本明細書では、おむつ１０の前縁部１２から始まる、Ｌの５分の２（２／５）の距離において長手方向軸上に位置する点として定義されるクロッチ点Ｐを含む。
【００４２】
吸収性物品は、材料又はパッチの小型シートの形態をとることができる、表示手段６０を含む。示すように、長方形の形態が有用である。表示手段６０はおむつの前領域Ａ、中央領域Ｂ、又は後領域Ｃに配置され得る。表示手段６０を中央領域Ｂ、又は前領域Ａに分布させることが多くの場合有用である。図示されているように、表示手段６０をクロッチ点Ｐの前方に向かって設けることが有用な場合がある。
【００４３】
おむつ１０は、おむつ１０が着用される際に、おむつ１０が着用者にしっかりとフィットするように維持するための、ガスケットカフ２６を更に含む。ガスケットカフ２６は、しっかりとしたフィットを維持し、漏れ防止を補助するための弾性体２８を含む。
【００４４】
おむつ１０は、おむつの両側にバリアレッグカフ３０を更に含む。バリアレッグカフは、トップシート２２に隣接した近位縁部３２ａ及び３２ｂを含む。バリアレッグカフ３０は、それぞれの近位縁部の反対側に、それぞれ、遠位縁部３４ａ及び３４ｂを含む。遠位縁部３４の領域内では、更なる弾性体３６ａが設けられ、バリアレッグカフ３０の遠位縁部３４の一部は、おむつ１０の構成要素、例えばトップシート２２に取り付けられてよく、一方で、バリアレッグカフ３０は、本明細書ではフリーフラップ３８と呼ばれる、遠位縁部の非取り付け領域を更に含むことが好ましい。それぞれのフリーフラップ３８は典型的には、おむつ１０の中央ゾーンに備えられる。
【００４５】
おむつ１０は、おむつを着用者の体に締着させるための締着システムを更に含む。この締着システムは、粘着テープ４２を含む２つの後側耳部４０を含む。粘着テープ４２をランディングゾーン４４に取り付けることができる。前領域において、おむつは前側耳部４６を含む。以下で説明するように、他の実施形態については、メカニカルファスナなど、また、（例えばＩＳの場合）２つより多くを含む締着システムなどの、他の締着システムが有用な場合もある。
【００４６】
コアは任意選択的に、吸収性材料の量が少ない、又は吸収性材料が存在しない領域を含むことができる。これらの領域はチャネルと呼ばれる。
【００４７】
図２は、図１の実施形態の横断断面図であり、おむつの他の構造要素が簡単に示されている。この図に示すように、おむつは捕捉−分配システム５０を含む。この捕捉−分配システムは、最初に液体を受け取る捕捉層５２、及び捕捉層５２の下の分配層５４を含む。
【００４８】
吸収性コア２０はコア層５６を含む。このコア層は、特定の材料、例えば、本明細書ではＳＡＰとも呼ばれる超吸収性粒子を含むことができる。コア層５６とバックシート２４との間に、表示手段６０を配置することができる。図２に示すように、バックシート２４は、（コア２０側に配置される）内側バックシート層６２、及び、通常着用者の衣類側に配置される外側バックシート層６４を含むことができる。図２に示すように、この特定の実施形態に従うと、インジケータ６０は、内側バックシート層の上、かつコアラップの下、より正確には、バックシート２４側に配置されるコアラップ６６の一部分の下に設けられてよい。
【００４９】
図３は、吸収性物品の別の例示的実施形態を示す。本実施形態は、図１及び２に示すものに類似している。しかし、インジケータ６０はここでは、内側バックシート層６２と外側バックシート層６４との間に配置される。
【００５０】
図４は、吸収性物品の別の例示的実施形態を示す。図２に示す実施形態に関して、吸収性物品を検出器デバイス７０と共に示す。図示されているように、検出器デバイス７０は、通常は長方形の断面を有することができる小型ポッドの形態をとることができる。検出器デバイス７０はメカニカルファスナ６８により、おむつ１０のバックシート２４に取り付けられてよい。一実施形態では、例えば、メカニカルファスナは、第１の構成要素と第２の構成要素とを含む。第１の構成要素はバックシート２４に取り付けることができ、第２の構成要素は検出器デバイス７０に取り付けることができる。これら２つの構成要素は互いに相互作用し、例えば、面ファスナを使用することができる。それぞれの構成要素を、接着によりそれぞれバックシート及び検出器デバイス７０に接合することができる。
【００５１】
また、物品は、典型的にはトップシート及び／又はバックシートを介して、吸収性物品のシャーシに接合され、おむつのシャーシと実質的に同一平面にある、弾性化ガスケットカフ２６も含むことができる。
【００５２】
図では更に、接着タブ４２を含む締着システムなどの典型的なテープ付きおむつの構成要素も示されている。接着タブ４２は、物品の後縁部側に取り付けられ、物品の前方にあるランディングゾーン４４と協働する。吸収性物品はまた、後弾性ウエスト機構、前弾性ウエスト機構、横方向バリアカフ、又はローション塗布部などの図示されていない他の典型的な要素を備えてもよい。
【００５３】
トップシート２２、バックシート２４、吸収性コア２０、及び他の物品構成要素は、種々の周知の構成にて、特に糊付け（gluing）又は熱エンボス加工によって組み立てられ得る。例示的なおむつの構造は、米国特許第３，８６０，００３号、同第５，２２１，２７４号、同第５，５５４，１４５号、同第５，５６９，２３４号、同第５，５８０，４１１号、及び同第６，００４，３０６号に一般的に記載されている。吸収性物品は、薄いことが好ましい。物品のクロッチ点Ｐにおけるキャリパーは例えば、好適なキャリパー試験、例えば欧州特許第２  ７４０  ４５０（Ａ１）号（出願人：Ｔｈｅ  Ｐｒｏｃｔｅｒ  ＆  Ｇａｍｂｌｅ  Ｃｏｍｐａｎｙ）に開示されている吸収性物品のキャリパー試験で測定した場合に、４．０ｍｍ〜１２．０ｍｍ、特に６．０ｍｍ〜１０．０ｍｍであってよい。
【００５４】
物品のこれらの構成要素及び他の構成要素を、以降で更に詳細に考察する。
【００５５】
トップシート２２
トップシート２２は、着用者の皮膚と直接接触している、吸収性物品の一部分である。トップシート２２は、当該技術分野で既知のように、バックシート２４、コア２０、及び／又は任意の他の層に接合させることができる。通常、トップシート２２とバックシート２４は、いくつかの箇所（例えば、物品の周縁部又はその近く）では、互いに直接接合されており、また、別の箇所では、おむつ１０の１つ以上の他の要素へこれらを直接接合することにより、間接的に接合されている。
【００５６】
トップシート２２は、順応性があり、柔らかな感触で、着用者の皮膚を刺激しないものであることが好ましい。更に、トップシート２２の少なくとも一部分は液体透過性であり、液体がその厚さを通して容易に浸透できる。好適なトップシートは、例えば、多孔質発泡体、網目状発泡体、有孔プラスチックフィルム、又は天然繊維（例えば、木材繊維若しくは綿繊維）、合成繊維若しくはフィラメント（例えば、ポリエステル繊維、若しくはポリプロピレン繊維、若しくは二成分ＰＥ／ＰＰ繊維、若しくはこれらの混合物）、若しくはこれらの組み合わせ、例えば天然繊維と合成繊維との組み合わせの、織布又は不織布材料などの幅広い範囲の材料から製造することができる。材料の組み合わせは、ニードルパンチング、超音波ボンディング、リングローリング、エンボス加工、糊付け、又は他の種類の機械的もつれを用いて少なくとも２種類の材料を組み合わせることにより達成することができる。そのような加工段階の後、得られる材料において二層／多層構造が維持される場合もあるが、区別可能な層の構造が緩んでしまうこともある。また、形成済みフィルムパッチをトップシートの下に提供することが有用な場合もある。
【００５７】
トップシート２２が繊維を含む場合、繊維は、スパンボンド処理、カーディング処理、ウェットレイド処理、メルトブロー処理、水流交絡処理、又は当該技術分野で既知の他の処理を施されたものであってもよい（特にスパンボンドＰＰ不織布の場合）。ステープル長のポリプロピレン繊維のウェブを含む好適なトップシートとしては、Ｉｎｔｅｒｎａｔｉｏｎａｌ  Ｐａｐｅｒ  Ｃｏｍｐａｎｙ（Ｗａｌｐｏｌｅ，ＭＡ）の一部門であるＶｅｒａｔｅｃ，Ｉｎｃ．によってＰ−８の製品名にて製造されるものがある。
【００５８】
トップシート２２は、尿及び／又は糞便（固体、半固体、若しくは液体）など、トップシートを通る排泄物の浸透を容易にするための１つ以上の開口部を備えていてもよい。少なくとも一次開口部のサイズは、所望の排泄物封入性能を獲得するために重要である。一次開口部が小さ過ぎると、排泄物は、排泄物源と開口位置の位置合わせがよくないことが原因で、又は開口より大きい直径を有する糞便の塊が原因で、開口部を通過しない場合がある。開口部が大き過ぎると、物品からの「再湿潤」により汚染される可能性のある皮膚面積が増加する。典型的には、おむつの表面の開口部の総面積は、約１０ｍｍ２〜約５０ｍｍ２、特に、約１５ｍｍ２〜３５ｍｍ２の面積を有してもよい。開口部付きのトップシートの例が、ＢＢＡ  ＮＯＮＷＯＶＥＮＳ  ＳＩＭＰＳＯＮＶＩＬＬＥに譲渡された米国特許第６６３２５０４号に開示されている。国際公開第２０１１／１６３５８２号にも、１２〜１８ｇｓｍの坪量を有し、かつ複数の結合点を含む、好適な着色トップシートが開示されている。各結合点は、２ｍｍ２〜５ｍｍ２の表面積を有し、複数の接合点の累積表面積は、トップシートの合計表面積の１０〜２５％である。
【００５９】
典型的なおむつのトップシートの坪量は、約１０〜約２１ｇｓｍであり、特には約１２〜約１８ｇｓｍであるが、他の坪量も可能である。
【００６０】
バックシート２４
バックシート２４は一般的に、吸収性コア２０の衣類に面する表面に隣接して位置付けられ、その中に吸収され収容された排泄物がベッドシーツ及び下着などの物品を汚すことを防止する、おむつ１０の部分である。バックシート２４は、典型的には、液体（例えば、尿）に対して不透過性である。バックシートは、例えば、約０．０１２ｍｍ〜約０．０５１ｍｍの厚さを有する熱可塑性フィルムなどの薄いプラスチックフィルムであるか、又はそれを含んでもよい。例示的なバックシートフィルムとしては、Ｒｉｃｈｍｏｎｄ，ＶＡを拠点とするＴｒｅｄｅｇａｒ  Ｃｏｒｐｏｒａｔｉｏｎによって製造され、ＣＰＣ２フィルムの商標で販売されるものが挙げられる。他の好適なバックシート材料としては、おむつ１０から蒸気を逃す一方で、依然として排泄物がバックシート２４を通過することを防止する通気性材料を挙げることができる。例示的な通気性材料としては、織布ウェブ、不織布ウェブ、フィルムコーティングされた不織布ウェブなどの複合材料、Ｍｉｔｓｕｉ  Ｔｏａｔｓｕ  Ｃｏ．（Ｊａｐａｎ）から商品名ＥＳＰＯＩＲ  ＮＯで製造されるもの、及びＴｒｅｄｅｇａｒ  Ｃｏｒｐｏｒａｔｉｏｎ（Ｒｉｃｈｍｏｎｄ，ＶＡ）が製造して商品名ＥＸＡＩＲＥで販売されるもののようなミクロ孔質フィルム、並びにＣｌｏｐａｙ  Ｃｏｒｐｏｒａｔｉｏｎ（Ｃｉｎｃｉｎｎａｔｉ，ＯＨ）によって商品名ＨＹＴＲＥＬブレンドＰ１８−３０９７で製造されるもののようなモノリシックフィルムなどの材料を挙げることができる。いくつかの通気性複合材料については、Ｅ．Ｉ．ＤｕＰｏｎｔの名義で１９９５年６月２２日に公開された国際公開第９５／１６７４６号；米国特許第５，９３８，６４８号（ＬａＶｏｎら）、同第４，６８１，７９３号（Ｌｉｎｍａｎら）、同第５，８６５，８２３号（Ｃｕｒｒｏ）；及び同第５，５７１，０９６号（Ｄｏｂｒｉｎら）、同第６，９４６，５８５（Ｂ２）号（Ｌｏｎｄｏｎ  Ｂｒｏｗｎ）により、詳細に述べられている。
【００６１】
バックシート２４は、当該技術分野において既知のいずれかの取り付け手段によって、トップシート２２、吸収性コア２０、又はおむつ１０の他のいずれかの要素に接合してよい。好適な取り付け手段は、トップシート２２をおむつ１０の他の要素に接合するための手段に関して上で説明されている。例えば、取り付け手段としては、接着剤の均一な連続層、接着剤のパターンが施された層、又は接着剤の分離した線、螺旋、若しくは点の配列を挙げることができる。好適な取り付け手段として、米国特許第４，５７３，９８６号に開示されるように、接着剤のフィラメントの開放パターン網目構造（open pattern network）が挙げられる。他の適当な取り付け手段として、米国特許第３，９１１，１７３号、同第４，７８５，９９６号、及び同第４，８４２，６６６号に示される装置及び方法により例示されるような、螺旋パターンに渦を巻く接着剤フィラメントのいくつかの線が挙げられる。満足のいくものであることが判明した接着剤は、Ｈ．Ｂ．Ｆｕｌｌｅｒ社（Ｓｔ．Ｐａｕｌ，Ｍｉｎｎｅｓｏｔａ）が製造し、ＨＬ−１６２０及びＨＬ  １３５８−ＸＺＰの名称で市販されている。代替的に、取り付け手段は、熱接着、圧力接着、超音波接着、動的機械的接着、又は当該技術分野で既知の他の任意の好適な取り付け手段、若しくはこれら取り付け手段の組み合わせを含んでもよい。
【００６２】
吸収性コア２０
本明細書で使用する場合、「吸収性コア」という用語は、吸収能力の大半を有し、吸収性材料、及び任意選択的に、その吸収性材料を包囲するコアラップを備える物品の１つ又は複数の構成要素を意味する。「吸収性コア」という用語は、捕捉−分配システム若しくは層、又は、コアラップの一体部分ではないか若しくはコアラップ内に置かれない、物品の何らかの他の構成要素も含まない。コアは、コアラップと、以下で定義される吸収性材料と、コアラップ内に包囲される糊剤（glue）とから本質的になり得るか、又はそれらからなり得る。
【００６３】
吸収性物品の吸収性コア２０は、第１のコア層５６及び第２のコア層５８を含む。説明したように、吸収性物品は、典型的には１つ以上の層からなる捕捉−分配システムを含んでよい。最も典型的には、層はコア層の上に配置される。したがって、トップシートとバックシートとの間に複数の層を配置することができる。当業者は通常、困難なくこれらの層の区別を行う。疑われる場合、コア層を、通常、捕捉／分配システムの一部を形成する層より透過性の低い層として識別することができる。
【００６４】
透過性は通常、多孔質材料に小量の液体又は気体の通過を引き起こす、多孔質材料の質を意味する。したがって、捕捉−分配システムの層は通常、コアシステムの層より透過性が高くあるべきであり、その理由は、これらの層は、液体が最終的に保管される吸収性コアに液体を分配するためのものであるからである。
【００６５】
吸収性コアは、大抵はコアラップ内に封入された、様々な量の超吸収性ポリマー（本明細書では「ＳＡＰ」と略す）を有する吸収性材料を含み得る。ＳＡＰ含量は、コアラップ内に収容される吸収性材料の０重量％〜８０重量％を表し得る。多くの場合、コアラップ内に収容される吸収性材料の、２０重量％〜５０重量％のＳＡＰ含量が有用である。コアラップは、吸収性コア内のＳＡＰの百分率を見積もる目的で、吸収性材料とは見なされない。
【００６６】
「吸収性材料」とは、ＳＡＰ、セルロース系繊維、及び合成繊維など、何らかの吸収特性又は液体保持特性を有する材料を意味する。本明細書において、繊維状吸収性材料の形態である吸収性材料が有用であることが見出されている。これらの繊維状吸収性材料は、天然繊維（例えばセルロース繊維）及び合成繊維を含むことができる、又はこれらからなることができる。典型的には、吸収性コアを作るために使用される糊剤は吸収特性を有さず、吸収性材料とは見なされない。
【００６７】
ＳＡＰ含量は、コアラップ内に収容される吸収性材料の重量の３０％超、例えば少なくとも４０％、少なくとも５０％、少なくとも８０％であってよい。特定の実施形態において、吸収性材料は１０〜７０重量％、例えば３０〜６０重量％の天然又は合成繊維を含むことができる。
【００６８】
吸収性コアは、一般的に平面状の頂縁部、及び一般的に平面状の底縁部を含んでよい。いくつかの実施形態において、より大きな吸収力が前方で必要とされるため、吸収性材料は、後縁部より前縁部側に、より多くの量が有利に分配される。他の実施形態、典型的には吸収性物品の他の使用、例えば高齢で失禁症状のあるヒトのケアのための実施形態では、乳児のケアの場合と比べると、より大きな吸収力が後方領域で必要とされるため、吸収性材料は、前縁部側より後縁部側により多くの量が有利に分配される。
【００６９】
コアラップは、少なくとも部分的に、吸収性コアの縁部に沿って密封することができる不織材料の２つの別のシートにより形成することができる。コアラップは、吸収性コアラップから漏出する吸収性材料が実質的にないように、前縁部、後縁部及び２つの長手方向縁部に沿って少なくとも部分的に封止され得る。
【００７０】
吸収性物品の吸収性コアは、例えば、コアラップ内のＳＡＰを固定することを助けるために、かつ／又は、特にコアラップが２つ以上の基材から作製されているときにコアラップの結着性を確保するために、接着剤を更に含んでもよい。このような接着剤は、繊維性の熱可塑性接着材料の形態で提供することができる。
【００７１】
繊維性の熱可塑性接着材料は、ランドエリアにおいて少なくとも部分的に超吸収性材料に接触してもよく、また接合エリアにおいて基材層に少なくとも部分的に接触してもよい。これによって、それ自体は本質的に、長さ方向及び幅方向の寸法に比べて比較的薄い二次元構造である、熱可塑性接着剤材料の繊維層に、本質的に三次元の構造が付与される。これにより、繊維状熱可塑性接着材料はランドエリアにおいて吸収性材料を覆うキャビティを提供することができ、それによりこの吸収性材料を固定する。
【００７２】
熱可塑性接着材料は、ＡＳＴＭのＤ−３６−９５に規定された方法である、「環球法」によって決定した軟化点が５０℃〜３００℃の範囲である、単一の熱可塑性ポリマー又は複数の熱可塑性ポリマーをブレンドしたものを全体に含んでもよく、並びに／あるいは熱可塑性接着材料は、粘着付与樹脂、可塑剤、及び酸化防止剤などの添加剤などの他の熱可塑性希釈剤と組み合わせた少なくとも１種類の熱可塑性ポリマーを含む、ホットメルト接着剤であってもよい。
【００７３】
超吸収性ポリマー（ＳＡＰ）
本明細書では超吸収性ポリマー材料、超吸収性ポリマー、又はＳＡＰとも呼ばれる超吸収性材料は、遠心分離保持能力（ＣＲＣ）試験（ＥＤＡＮＡ法ＷＳＰ  ２４１．２−０５Ｅ）を使用して測定すると、少なくとも１０倍の重量の０．９％食塩水を吸収することができる、架橋した高分子材料である吸収性材料を意味する。このＳＡＰは、具体的には、ＣＲＣ値が２０ｇ／ｇ超、又は２４ｇ／ｇ超、又は２０〜５０ｇ／ｇ、又は２０〜４０ｇ／ｇ、又は２４〜３０ｇ／ｇであってもよい。例示的吸収性物品で有用なＳＡＰとしては、非水溶性ではあるが大量の流体を吸収することができる、種々の水膨潤性ポリマーを挙げることができる。
【００７４】
超吸収性ポリマーは、乾燥状態において流動性があるように、粒子形態であってもよい。典型的な粒子状吸収性ポリマー材料は、ポリ（メタ）アクリル酸ポリマーから生成される。しかしながら、例えば、澱粉系の粒子状吸収性ポリマー材料も使用することができ、更に、ポリアクリルアミド共重合体、エチレン無水マレイン酸共重合体、架橋カルボキシメチルセルロース、ポリビニルアルコール共重合体、架橋ポリエチレンオキシド、及びポリアクリロニトリルの澱粉グラフト共重合体も使用することができる。超吸収性ポリマーは、内部及び／又は表面架橋されたポリアクリル酸塩及びポリアクリル酸ポリマーであってもよい。
【００７５】
吸収性物品の例示的実施形態に有用なＳＡＰは、様々な形状であってよい。「粒子」という用語は、顆粒、繊維、フレーク、球体、粉末、小板、並びに超吸収性ポリマー粒子の当業者に知られている他の形状及び形態を指す。いくつかの実施形態では、ＳＡＰ粒子は、繊維の形状、即ち細長い針状の超吸収性ポリマー粒子であってもよい。こうした実施形態において、超吸収性ポリマー粒子繊維は、約１ｍｍ未満、通常、約５００μｍ未満、好ましくは２５０μｍ未満から５０μｍまでの小さい寸法（即ち、繊維の直径）を有する。繊維の長さは、約３ｍｍ〜約１００ｍｍであることが好ましい。繊維はまた、編み込むことが可能な長いフィラメントの形態であることもできる。
【００７６】
典型的には、ＳＡＰは、球状粒子である。繊維とは対照的に、「球状粒子」は、粒子の最長粒子寸法対最短粒子寸法の比が１〜５の範囲内である最長及び最短の寸法を有し、値１は完全な球形の粒子に等しく、値５はかかる球形粒子からある程度の逸脱を許容する。超吸収性ポリマー粒子は、ＥＤＡＮＡ法ＷＳＰ  ２２０．２−０５に従って測定したとき、８５０μｍ未満、又は５０〜８５０μｍ、好ましくは１００〜７１０μｍ、より好ましくは１５０〜６５０μｍの粒径を有してもよい。比較的小さな粒径を有するＳＡＰは、液体排泄物と接する吸収性材料の表面積の増加に役立ち、したがって液体排泄物の素早い吸収を助ける。
【００７７】
ＳＡＰは、４５μｍ〜４０００μｍの範囲の粒径、より具体的に、４５μｍ〜約２０００μｍ、又は約１００μｍ〜約１０００μｍ、８５０μｍ又は６００μｍの範囲内の粒径分布を有してもよい。粒子状の材料の粒径分布は、当該技術分野において既知のように、例えば、乾式篩分け分析試験（ＥＤＡＮＡ  ４２０．０２「Ｐａｒｔｉｃｌｅ  Ｓｉｚｅ  ｄｉｓｔｒｉｂｕｔｉｏｎ」）によって決定され得る。
【００７８】
本明細書におけるいくつかの実施形態では、例えば、欧州特許第０，６９１，１３３（Ａ）号で説明されている方法により測定可能なように、超吸収性材料は、質量中心粒径（mass medium particle size）が最大２ｍｍ、あるいは５０μｍ〜２ｍｍ又は１ｍｍ、あるいは好ましくは１００又は２００又は３００又は４００又は５００μｍ〜１０００又は８００又は７００μｍの粒子の形態である。吸収性物品のいくつかの実施形態では、超吸収性ポリマー材料は、少なくとも８０重量％が、５０μｍ〜１２００μｍのサイズの粒子であり、質量メジアン粒径が上述の範囲の組み合わせのいずれかである粒子の形態である。加えて、又は吸収性物品の別の実施形態において、粒子は実質的に球状である。吸収性物品の更に別の又は追加の実施形態において、超吸収性ポリマー材料は、比較的狭い範囲の粒径を有し、例えば粒子の大多数（例えば少なくとも８０重量％、又は好ましくは少なくとも９０重量％、又は更には少なくとも９５重量％）は、５０μｍ〜１０００μｍ、好ましくは１００μｍ〜８００μｍ、より好ましくは２００μｍ〜６００μｍの粒径を有する。
【００７９】
ＳＡＰの表面は、例えば、カチオン性ポリマーでコーティングされてもよい。好ましいカチオン性ポリマーは、ポリアミン又はポリイミン材料を含んでもよい。いくつかの実施形態では、ＳＡＰは、米国特許第７，５３７，８３２（Ｂ２）号に開示されるようなキトサン材料でコーティングされてもよい。いくつかの他の実施形態では、ＳＡＰは、国際公開第９９／３４８４１号及び同第９９／３４８４２号に開示されるものなどの混合床イオン交換吸収性ポリマーを含んでもよい。
【００８０】
吸収性コアは、典型的には、１種類のみのＳＡＰを含むが、ＳＡＰのブレンドを使用できることを排除しない。超吸収性ポリマーの流体透過性は、欧州特許出願第１２１７４１１７．７号で開示されている試験にて測定されるように、尿透過率測定試験（ＵＰＭ）値を用いて定量化され得る。ＳＡＰのＵＰＭは、例えば、少なくとも１０×１０−７ｃｍ３秒／ｇ、又は少なくとも３０×１０−７ｃｍ３秒／ｇ、又は少なくとも５０×１０−７ｃｍ３秒／ｇ、又はそれ以上、例えば、少なくとも８０又は１００×１０−７ｃｍ３秒／ｇであってもよい。流動特性はまた、第２の吸収性層に使用されるＳＡＰの量及び分布を変動させることで調整され得る。
【００８１】
ほとんどの吸収性物品に関して、液体排出は、特におむつの場合、物品の前半部にて主に生じる。物品の前半部（前縁部と、前又は後縁部からＬの半分の距離に位置する横断線との間の領域によって定義される）はしたがって、コアの吸収能力の大部分を備え得る。したがって、ＳＡＰの少なくとも６０％、又はＳＡＰの少なくとも６５％、７０％、７５％、若しくは８０％が、吸収性物品の前半部に存在し、残りのＳＡＰが吸収性物品の後半部に配置されてもよい。
【００８２】
吸収性コアに存在するＳＡＰの合計量は、想定される用途に応じて変動してもよい。新生児用のおむつは、乳幼児用又は成人用失禁おむつと比べて必要なＳＡＰが少ない場合がある。コア中のＳＡＰの量は例えば、約２〜６０ｇ、特に５〜５０ｇ又は１０〜４０ｇを占めてよい。ＳＡＰの堆積領域内（又は、複数存在する場合は「少なくとも１つ」）での平均ＳＡＰ坪量は例えば、少なくとも５０、１００、２００、３００、４００、５００又はそれ以上のｇ／ｍ２であってよい。存在する場合、吸収性材料の堆積領域内に存在するチャネル領域を吸収性材料堆積領域から差し引いて、この平均坪量を計算する。
【００８３】
コアラップ６６
任意選択的なコアラップは、吸収性材料の周りで折り畳まれた単一の基材から作製されてもよく、又は有利には、互いに取り付けられた２つ（又はそれ以上）の基材を備えてもよい。典型的な取り付け方法は、いわゆるＣラップ及び／又はサンドイッチラップである。図２に例示するように、Ｃラップでは、片方の基材における長手方向及び／又は横方向縁部を、もう一方の基材上に折り畳み、フラップを形成する。次に、これらのフラップは、典型的には糊付けによって、他方の基材の外表面に結合される。
【００８４】
コアラップが第１の基材６６ａと第２の基材６６ｂとを備える場合、これらは同じ種類の材料から作製されてもよく、又は異なる材料から作製されてもよく、又は、いずれか一方の基材が他方とは異なって処理されて、異なる特性が与えられてもよい。不織布の製造に使用されるポリマーは、本質的に疎水性であるので、吸収性コアの流体受容側に配置されている場合は、親水性コーティングでコーティングされることが好ましい。コアラップの上側、即ち吸収性物品において、着用者により接近して位置する側が、コアラップの下側よりも親水性であることが有利である。耐久的に親水性のコーティングを備えた不織布を生産するための考えられる方法は、親水性モノマー及びラジカル重合反応開始剤を不織布上に塗布し、ＵＶ光によって活性化して重合を起こすことによって、不織布の表面に化学結合したモノマーを生成させることによるものである。耐久性の親水性コーティングを備えた不織布を製造するための考えられる代替的方法は、例えば、国際公開第０２／０６４８７７号で説明されるような、不織布を親水性ナノ粒子でコーティングすることである。
【００８５】
バリアレッグカフ３０
吸収性物品は、一対のバリアレッグカフ３０を含む。バリアレッグカフは、１つの材料、典型的には、不織布から形成されていてよく、この材料（バリアレッグカフ）は、その一部分が、例えば、図１に示すように物品が平らに引っ張られているときに、トップシートによって画定された平面から離れるように部分的に隆起し、立ち上がり得るように、物品の残りの部分に対して部分的に結合されている。バリアレッグカフは、着用者の胴体と脚のおよそ接合部付近で、液体及び他の身体排泄物の改善された閉じ込めをもたらすことができる。バリアレッグカフは、長手方向軸の両側に、おむつの前縁部と後縁部との間に少なくとも部分的に延び、クロッチ点（Ｐ）のレベルにて少なくとも存在している。バリアレッグカフは、物品の残りの部分、典型的にはトップシート及び／又はバックシートに接合される近位縁部３２と、着用者の皮膚と接触し封止を形成することが意図される自由末端縁部６６とによって範囲を定められる。バリアレッグカフは、例えば、糊付け、融合結合、又は既知の結合手段の組み合わせによってなされ得る結合部３３によって、近位縁部３２で物品のシャーシと接合されている。近位縁部３２での結合部３３は、連続的であっても断続的であってもよい。レッグカフの隆起セクションに近い方の結合部３３の辺は、レッグカフの立ち上がりセクションの近位縁部３２の境界を定める。これらの結合部３３の内側の辺同士の間の距離は、ＲＣＷＲ試験（以下を参照）の目的のための、このレベルにおける物品の乾燥及び湿潤幅を画定する。
【００８６】
バリアレッグカフは、トップシート又はバックシートと一体であることができ、又はより典型的には、物品の残りの部分に接合された別個の材料から形成できる。典型的に、バリアレッグカフの材料は、おむつの全長にわたって延びていてよいものの、物品の前縁部及び後縁部に向かってトップシートに「タック結合」されているため、これらの区画では、バリアレッグカフ材料は、トップシートと同一平面のままとなる。それぞれのバリアレッグカフ３０は、より良好な封止をもたらすための、この自由遠位縁部３４に近い１つ、２つ又はそれ以上の弾性体３６を含んでよい。
【００８７】
バリアレッグカフ３０に加えて、物品はガスケットカフ２６を含んでもよく、このガスケットカフは、吸収性物品のシャーシ、特にトップシート及び／又はバックシートに接合され、かつバリアレッグカフに対して横断方向における外側に置かれる。ガスケットカフは、着用者の太腿の周りにより良好な封止をもたらすことができる。通常、それぞれのガスケットレッグカフは、おむつのシャーシ内、例えば、脚部開口部の領域におけるトップシートとバックシートとの間に含まれる１本以上の弾性ストリング又は弾性要素を含むこととなる。
【００８８】
米国特許第３，８６０，００３号には、サイドフラップ、及び弾性化レッグカフ（ガスケットカフ）を提供する１つ以上の弾性部材を有する、収縮可能な脚部開口部を提供する使い捨ておむつが記載されている。米国特許第４，８０８，１７８号及び同４，９０９，８０３号（Ａｚｉｚら）には、脚部区域における閉じ込めを改善する「立ち上がり」弾性化フラップ（バリアレッグカフ）を有する使い捨ておむつが記載されている。米国特許第４，６９５，２７８号、及び同第４，７９５，４５４号（それぞれＬａｗｓｏｎ及びＤｒａｇｏｏ）には、ガスケットカフ及びバリアレッグカフを含む二重カフを有する使い捨ておむつが記載されている。バリアレッグカフ及び／又はガスケットカフの全て又は一部分は、ローションで処理されてもよい。
【００８９】
捕捉−分配システム５０
吸収性物品の実施形態は、捕捉−分配層又はシステム５０（本明細書では「ＡＤＳ」）を含んでよい。ＡＤＳの機能は、効率的な方式で流体を迅速に捕捉し、それを吸収性コアに分配することである。ＡＤＳは、１つ、２つ、又はそれ以上の層を備えてもよく、それらの層は一体の層を形成しても、あるいは依然として、互いに取り付けられ得る個別の層であってもよい。以下の例において、ＡＤＳは２つの層：分配層５４、及び吸収性コアとトップシートとの間に配置された捕捉層５２を含むが、吸収性物品の実施形態は本実施例に限定されない。
【００９０】
典型的には、ＳＡＰは流体の捕捉及び分配を緩慢にし得るので、ＡＤＳはＳＡＰを含まない。先行技術は、多くの種類の捕捉−分配システムについて開示している。例えば、国際公開第２０００／５９４３０号（Ｄａｌｅｙ）、同第９５／１０９９６号（Ｒｉｃｈａｒｄｓ）、米国特許第５，７００，２５４号（ＭｃＤｏｗａｌｌ）、国際公開第０２／０６７８０９号（Ｇｒａｅｆ）を参照のこと。ＡＤＳは、必須ではないが、分配層と捕捉層の２つの層を備えてもよく、これら２つの層についてこれから更に詳細に例示する。
【００９１】
分配層５４
分配層は例えば、少なくとも５０重量％の架橋セルロース繊維を含み得る。架橋セルロース繊維は、捲縮、加撚、若しくはカールされてもよく、又は捲縮、加撚、及びカールを含むそれらの組み合わせであってもよい。この種類の材料は、過去に、例えば米国特許出願公開第２００８／０３１２６２２（Ａ１）号（Ｈｕｎｄｏｒｆ）の捕捉システムの一部として、使い捨ておむつに使用されてきた。架橋セルロース繊維は、製品のパッケージ内の圧縮に対して、又は、例えば、赤ちゃんの重量下の使用状況下において、第１の吸収性層に対して、高い復元力、及びそれ故高い抵抗性を付与する。これにより、コアに、高い空隙容積、透過性、及び液体吸収作用が付与されるので、漏出が低減され、乾燥状態が改善される。
【００９２】
吸収性物品の、架橋セルロース繊維を含む分配層は他の繊維を含むことができるが、この層は有利には、層の少なくとも５０重量％、又は６０重量％、又は７０重量％、又は８０重量％、又は９０重量％、又は更には最大１００重量％の、（架橋剤を含む）架橋セルロース繊維を含むことができる。かかる架橋セルロース繊維の混合層の例は、約７０重量％の化学架橋セルロース繊維、約１０重量％のポリエステル（ＰＥＴ）繊維、及び約２０重量％の未処理パルプ繊維を含んでよい。別の例では、架橋セルロース繊維の層は、約７０重量％の化学架橋セルロース繊維、約２０重量％のリヨセル繊維、及び約１０重量％のＰＥＴ繊維を含んでもよい。別の例では、層は、約６８重量％の化学架橋セルロース繊維、約１６重量％の未処理パルプ繊維、及び約１６重量％のＰＥＴ繊維を含んでもよい。別の例では、架橋セルロース繊維の層は、約９０重量％〜１００重量％の化学架橋セルロース繊維を含んでもよい。
【００９３】
分配層５４は、米国特許第５，１３７，５３７号に開示されている手順に示されるとおりに測定すると、２５〜６０、好ましくは３０〜４５の保水値を有する材料であってもよい。
【００９４】
分配層は、典型的に、３０〜４００ｇ／ｍ２、特に１００〜３００ｇ／ｍ２の平均坪量を有してもよい。分配層の密度は、物品の圧縮度合いに応じて変動してもよいが、２．０７ｋＰａ（０．３０ｐｓｉ）で測定して、０．０３ｇ／ｃｍ３〜０．１５ｇ／ｃｍ３、とりわけ０．０８ｇ／ｃｍ３〜０．１０ｇ／ｃｍ３であってもよい。
【００９５】
捕捉層５２
ＡＤＳは、捕捉層５２を備えてもよい。捕捉層は、分配層５４とトップシート２２との間に配置されてもよい。捕捉層５２は、典型的には、スパンボンド、メルトブローン、及び更にスパンボンドされた層、又は、代替的には、カーディングを施された化学結合された不織布を含む、例えば、ＳＭＳ又はＳＭＭＳ材料など、不織布材料であってもよく、又はそれを含んでもよい。不織布材料は、具体的にはラテックス結合されていてもよい。例示的な上部捕捉層５２が米国特許第７，７８６，３４１号に開示されている。特に、使用される繊維が、中実で円形又は円形で中空のＰＥＴステープル繊維（６デニール繊維と９デニール繊維との５０／５０若しくは４０／６０の混合）である場合、カーディングされた樹脂結合不織布が使用されてもよい。例示的な結合剤は、ブタジエン／スチレンラテックスである。不織布は、加工ラインの外側で製造され、ロール材料として保管及び使用され得るという利点を有している。
【００９６】
更なる有用な不織布が、米国特許第６，６４５，５６９号（Ｃｒａｍｅｒら）、同第６，８６３，９３３号（Ｃｒａｍｅｒら）、同第７，１１２，６２１号（Ｒｏｈｒｂａｕｇｈら）、並びに同時特許出願の米国特許出願第２００３／１４８６８４号（Ｃｒａｍｅｒら）、及び同第２００５／００８８３９号（Ｃｒａｍｅｒら）に記載されている。
【００９７】
捕捉層５２は、ラテックス結合剤、例えばスチレン−ブタジエンラテックス結合剤（ＳＢラテックス）によって、安定化されてもよい。かかる格子状構造を得るための方法は、例えば、欧州特許第１４９  ８８０号（Ｋｗｏｋ）及び米国特許出願公開第２００３／０１０５１９０号（Ｄｉｅｈｌら）で既知である。特定の実施形態では、結合剤は、約１２重量％、約１４重量％、又は約１６重量％を超えて捕捉層５２に存在してもよい。ＳＢラテックスは、ＧＥＮＦＬＯ（商標）３１６０（ＯＭＮＯＶＡ  Ｓｏｌｕｔｉｏｎｓ  Ｉｎｃ．；（Ａｋｒｏｎ，Ｏｈｉｏ））の商品名にて入手可能である。
【００９８】
上述した第１の捕捉層に加えて、更なる捕捉層が使用されてもよい。例えば、組織層（tissue layer）が、第１の捕捉層と分配層との間に配置されてもよい。この組織は、上述した捕捉層と比較して、向上した毛管作用による分配特性を有してもよい。組織層と第１の捕捉層は同じサイズのものであってもよく、又は異なるサイズのものであってもよく、例えば、組織層は、第１の捕捉層よりも更に吸収性物品の後側に延びていてもよい。親水性組織の例は、供給業者Ｈａｖｉｘによるセルロース繊維製の１３〜１５ｇｓｍの高湿潤強度である。
【００９９】
締着システム
吸収性物品は、締着システムを含んでもよい。締着システムは、テープ付きおむつでは典型的であるように、吸収性物品の外周の周りに横方向の張力を与えて、吸収性物品を着用者に対して保持するために使用できる。この締着システムは、トレーニングパンツ物品には必須ではないが、それはこれらの物品のウエスト領域が既に結合されているからである。締着システムは通常、ファスナ、例えばテープタブ（接着タブとも呼ばれる）、面ファスナ締着構成要素、インターロックファスナ（例えばタブ＆スロット）、バックル、ボタン、スナップ、及び／又はオスメス一体型締着構成要素を含むが、任意の他の既知の締着手段が一般的に許容される。ファスナを着脱可能に取り付けるためのランディングゾーンが、前側ウエスト領域に通常設けられる。一部の例示的な表面締着システムが、Ｂｕｅｌｌに発行された米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的なインターロック締着システムが米国特許第６，４３２，０９８号に開示されている。締着システムはまた、Ｒｏｂｅｒｔｓｏｎらによる米国特許第４，９６３，１４０号に開示されているように、使い捨て式の構成で物品を保持するための手段を提供してもよい。
【０１００】
締着システムはまた、重なり部分のずれを減らすために米国特許第４，６９９，６２２号に開示されるように、又はフィット感を向上するために米国特許第５，２４２，４３６号、同第５，４９９，９７８号、同第５，５０７，７３６号、同第５，５９１，１５２号に開示されるように、主要及び補助の締着システムを備えてもよい。
【０１０１】
後側耳部４０及び前側耳部４６
吸収性物品は、当該技術分野で既知であるように、前側耳部４６と後側耳部４０とを含んでもよい。耳部は、例えば、トップシート及び／又はバックシートからサイドパネルとして形成される、シャーシの一体部分であり得る。代替的に、図１に表すように、耳部は、糊付け及び／又は熱エンボス加工若しくは圧力結合により取り付けられる別個の要素であってもよい。後側耳部４０は有利には伸縮性であり、接着タブ４２のランディングゾーン４４への取り付けを容易にし、また、テープ付きおむつを、着用者のウエスト周りの所定位置に保持する。後側耳部４０はまた、弾性化耳部により吸収性物品の側部が伸縮することができるので、吸収性物品を最初に着用者に対して適合するようにフィットさせ、吸収性物品に排泄物が溜まってからかなり後でも、着用している間ずっとこのフィット感を維持することによって、より快適であり、かつ体に巻き付くようなフィット感を付与するように、弾性又は伸長可能であってもよい。
【０１０２】
弾性ウエスト機構
吸収性物品はまた、改善したフィット性及び閉じ込めを提供するために役立つ、少なくとも１つの弾性ウエスト機構（図示せず）を含んでもよい。弾性ウエスト機構は、弾性的に伸縮して、着用者の腰部に動的にフィットすることが概ね意図されている。弾性ウエスト機構は、吸収性コア２０の少なくとも一方のウエスト縁部から少なくとも長手方向外側に好ましくは延び、吸収性物品の端縁部の少なくとも一部を通常形成する。使い捨ておむつは、２つの弾性ウエスト機構を有するように構成されてもよく、一方は前側ウエスト領域に位置決めされ、他方は後側ウエスト領域に位置決めされる。弾性ウエスト機構は、米国特許第４，５１５，５９５号、同第４，７１０，１８９号、同第５，１５１，０９２号、及び同第５，２２１，２７４号に記載されているもことを含む、複数の異なる構成で構築されてもよい。
【０１０３】
層同士の関係
典型的に、隣接した層及び構成要素は、層の表面の全体若しくは一部に対するスロットコーティング若しくは吹き付けを介した接着剤コーティング、又は熱結合、又は圧力結合、あるいはそれらの組み合わせなど、従来の結合方法を使用して互いに接合される。この結合は、明確性及び可読性のために図では示されない（トップシート２２を備えるバリアレッグカフ３０の複数の隆起要素間の結合３３による結合については除く）が、物品の複数の層間の結合は、具体的に除外されない限り存在するものとして考えられるべきである。接着剤は、典型的に、異なる層の接着性、例えば、バックシートとコアラップとの間の接着性を改善するために使用されてもよい。糊剤は、当該技術分野で既知であるような、任意の標準的なホットメルトグルーであってもよい。
【０１０４】
捕捉層５２が存在する場合、この捕捉層が、長手方向及び／又は横断方向寸法で分配層５４より大きいか、又は少なくとも同じ大きさであることが有利となり得る。このようにして、これらの層を組み立てて完成品にする前の製造プロセスの間に、分配層５４は捕捉層５２上に配置され得る。これは、特に捕捉層がストック材料のロールから巻き出され得る不織布である場合に、取扱いを簡略化する。分配層はまた、コアラップの吸収性コアの上側又は物品の別の層に直接堆積されてもよい。また、分配層よりも大きい捕捉層５２は、捕捉層を貯蔵コアに直接糊付けすることを可能にする（より大きい面積で）。これにより、物品の結着性を増加させ、良好な液体連通をもたらすことができる。
【０１０５】
吸収性コア、特にその吸収性材料堆積領域は有利には少なくとも、捕捉−分配システム（ＡＤＳ）と同程度に大きく、かつ長くてよく、有利には、少なくとも部分的に捕捉−分配システム（ＡＤＳ）よりも大きく、かつ／又は長くてよい。これは、コア内の吸収性材料が通常、より効率的に流体を保持し、ＡＤＳよりも広い領域にわたって乾燥の利点をもたらすことができるためである。吸収性物品は、長方形のＳＡＰ層、及び長方形でない（成形された）ＡＤＳを有してよい。吸収性物品は、長方形の（成形されていない）ＡＤＳ、及びＳＡＰの長方形層も有してよい。
【０１０６】
吸収性物品は、当該技術分野において既知の任意の従来法により作製することができる。特に、物品は手作りであってもよく、又は高速で工業的に生産されてもよい。
【０１０７】
別段の指示がない限り、本明細書に示された値は、本明細書で以下に示される方法に従って計測されたものである。別段の指示がない限り、全ての測定は、２１±２℃及び５０±２０％  ＲＨで実施される。別段の指定がない限り、この試験を実施する前に、全てのサンプルは少なくとも２４時間、これらの条件に保たれて平衡化されるべきである。別段の指定がない限り、全ての測定は、少なくとも４つのサンプルで再現され、得られた平均値が示されるべきである。
【０１０８】
図５Ａ及び図５Ｂは、図４に示すものなどの、おむつの外に取り外し可能に取り付けることができる、再利用可能な検出器デバイス１００の例示的実施形態の、部分的概略図を示す。この例示的実施例では例えば、検出器の全ての電子部品を、おむつの外側に配置することができる。検出器デバイス１００は、おむつ内に配置された、インジケータ１２０、例えば色変化ストリップ１２２の１つ以上の色変化を検出するように適合されている。この特定の実施形態において、インジケータ１２０は、おむつ内の身体排泄物の有無に応じて、色を直接的又は間接的に変化させる。
【０１０９】
色変化ストリップ１２２は例えば、概ねおむつの中央線に沿って、図１に示すようなおむつに配置することができ、幅方向において所定距離延びている。特定の一実施形態では例えば、色変化ストリップ１２２は、約４ｍｍ〜１５ｍｍ幅、例えば約１０ｍｍ幅、及び長さが約１００〜３００ｍｍ、例えば約１００ｍｍ、１５０ｍｍ、２００ｍｍ、２５０ｍｍ、又は３００ｍｍである。しかし色変化ストリップの寸法は単に例示のものであり、限定を行うものではない。色変化ストリップ１２２（又は他のインジケータ１２０）は、例えば１つ以上の縞模様、円、長方形、点、模様（例えば文字又は他の絵）が挙げられるが、これらに限定されない任意数の形態因子を含んでよい。インジケータ１２０は、図１に示すもの以外の、おむつの他の位置に配置することもできる。更に、インジケータ１２０が、より多くの身体排泄物がおむつの中に導入されるにつれて、おむつ内で移動したり、しだいに消滅したりする材料（例えば接着剤、ＳＡＰ／ＡＧＭ）を含む場合、検出アルゴリズムは、初期検出が行われた後は、湿潤／汚れ状態を維持してもよい。例えば、アルゴリズム内のラチェット又は他の機構を使用して、身体排泄物が検出されたという指標を、おむつが交換されるまで、又は検出器１００がおむつから取り外されるまで維持することができる。
【０１１０】
検出器デバイス１００は、１つ以上の光学（例えば色）センサ１０２、及び光源１０４（例えばＬＥＤ）を含む。光学センサ１０２は、インジケータ１２０からの１つ以上の光量（light level）を測定する。特定の一実施形態では例えば、色センサは、１６ビットの解像度で、４種類の光量（クリア（clear）、赤、緑、及び青）を測定する。クリアの光量は、全体の光の強度の尺度に対応し、赤、緑、及び青の光量は、インジケータ１２０からのスペクトルの、関係する部分の強度に対応する。本実施形態において、検出器デバイス１００は、光学センサ１０２を用いて複数の測定を実施する。第１の動作において、照射される光源１０４（例えばＬＥＤ）なしで光学センサ１０２を読み取り、バックグラウンドの光量を決定する。インジケータ１２０の色変化ストリップ１２２を照射する光源１０４を用いた別の動作で、色センサの別の読み取りを行い、クリア、赤、緑、及び青（ＲＧＢ）の光量を測定する。２つの測定の差を第３の動作で取得し、その差は、インジケータ１２０の色変化ストリップ１２２の色を表す。クリア色の光量を使用して、ＲＧＢ値を正規化することができる。インジケータ１２０の１つ以上の中間状態に対応する充填レベル（fill level）もまた、例えば、色相、彩度、及び輝度（ＨＳＢ）値から、ＲＧＢ値と組み合わせて、又はＲＧＢ値の代わりに決定することができる。
【０１１１】
光学センサ１０２は光源１０４から離間していてもよく、それによって光源１０４からの直接光が光学センサ１０２にて低減する、又は取り除かれる。同様に、光学センサ１０２と光源１０４との間隔が広すぎることで、光学センサ１０２での信号強度が低減する可能性がある。一実施形態では、例えば、光学センサ１０２は光源１０４から、少なくとも約５ｍｍ離間させてよい。別の実施形態では、光学センサは光源１０４から少なくとも約８ｍｍ、光源１０４から少なくとも約１０ｍｍ、光源１０４から約５〜２０ｍｍの間、及び光源１０４から約１０〜１５ｍｍの間、離間していてよい。
【０１１２】
光学センサ１０２と光源１０４との離間に加えて、他の因子もまた、光学センサ１０２の光量測定に影響を及ぼし得る。例えば、温度、おむつ上での検出器デバイス１００の位置、検出器デバイス１００と、おむつ内に配置されたインジケータ１２０との間に配置されたコネクタ（例えば接着テープ、面ファスナ、ストラップ、及び他の材料）の種類、材料、及び色、インジケータ１２０に対する検出器デバイス１００の向き、検出器デバイス１００及びおむつの伝達及び受信窓の向き、検出器デバイス１００からおむつに加わる力（例えば、使用中における、検出器デバイス１００の光学センサ１０２及び光源１０４と、おむつのインジケータ１２０と、の間の距離に影響を及ぼし得る）、周辺光、検出器デバイス１００に連結するためのおむつの取り付けゾーンの配置、並びに、光学センサ１０２がインジケータ１２０近くに配置されたおむつのその他の要素を検出するような、（例えば幅方向における）おむつのインジケータ１２０に対する検出器デバイス１００の配置。
【０１１３】
一実施形態では、例えば、色変化ストリップ１２２は、おむつ内のｐＨ変化に応じて色が変化する。おむつ内の超吸収性ポリマー（ＳＡＰ）／吸収性ゲル材料（ＡＧＭ）の膨潤により、おむつ内環境のｐＨが変化する。ｐＨ変化に応じて、色変化ストリップ１２２の色が変化する。色変化ストリップ１２２は例えば、ｐＨ感受性糊剤、例えばＢｏｓｔｉｋから市販されているＨ９５８８グルーを含むことができる。人間の目は色の大まかな変化、例えば黄色（乾燥）から青（湿潤）への移行を区別することができるのみであるが、フォトダイオードなどの電子色センサは、インジケータが第１の状態から第２の状態に遷移する際の中間色を検出することができる。
【０１１４】
例示的実施形態では、ｐＨ感受性色変化ストリップ１２２について論じているものの、インジケータ１２０はそれに限定されない。むしろ、インジケータ１２０は、おむつ内の身体排泄物の有無に関連して、色又は他の外観を直接又は間接的に変化させる、任意のインジケータ含んでよい。例えば、無色から１種類以上の色に、１種類以上の色から無色に変化する、本明細書で記載するｐＨ感受性接着剤の範囲を超えて他の色に色が変化する、色変化材料、ｐＨ変化以外の因子（例えば温度、湿り具合、臭気、酵素、有機成分、無機成分（例えば塩分の量）、着色したＳＡＰ／ＡＧＭ、機械的な力（例えばひずみ、伸展）などがあるがこれらに限定されない）に基づいて色又は外観を変化させる材料。
【０１１５】
上の図４に関して論じたように、検出器デバイス１００は１つ以上のユーザ信号デバイスを含んでよく、これらのデバイスとしては、おむつ内で検出される身体排泄物の有無を示すために使用され得る、１つ以上のＬＥＤ、ＬＣＤ、表示スクリーン、照明、スピーカー、又は他のインジケータなどがあるがこれらに限定されない、聴覚的及び／又は視覚的インジケータを挙げることができる。
【０１１６】
検出器デバイス１００は、検出器デバイス１００からのデータを、例えば記憶するため及び／又はユーザに表示するための遠隔デバイス１３０に送信するように適合された、通信モジュール１０６を更に含むことができる。通信モジュール１０６としては例えば、Ｂｌｕｅｔｏｏｔｈ通信モジュール、ＢＴＬＥ通信モジュール、メッシュ通信モジュール（例えばＩＥＥＥ  ８０２．１５．４）、ＷｉＦｉ通信モジュール（例えばＩＥＥＥ  ８０２．１５．１１）、ＩＥＥＥ  ８０２又は類似の通信規格の全て又は任意の部分を組み込んだ通信モジュール、ＲＦＩＤモジュール、３Ｇ又は４Ｇ通信モジュール、後方散乱通信モジュール、光通信モジュール、音通信モジュール、ハーベスティングプロトコル通信モジュール（例えばメタデータ・ハーベスティング・プロトコル通信モジュール）を挙げることができる。他の通信プロトコル、又は通信プロトコル（例えばＢｌｕｅｔｏｏｔｈ／メッシュ一体化プロトコル）及びメカニズムの組み合わせもまた使用することができる。
【０１１７】
一実施形態では、例えば、スマートフォン、タブレット、コンピュータ、又は他の遠隔デバイスを使用して、検出器デバイス１００からの情報を受信し、おむつの１つ以上の状態（例えば、１種類以上の身体排泄物の有無）を決定し、おむつの状態に関係する情報をユーザに表示することができる。遠隔デバイスは検出器デバイスと直接通信することができる、かつ／又は、１つ以上のコンピュータネットワーク（例えばインターネット）により、検出器デバイスと通信可能に（若しくは、１つの中間デバイスを介して）連結することができる。
【０１１８】
図６は、１つ以上のおむつと取り外し可能に連結するように適合された、検出器デバイス２００の例示的実装のブロック図を示す。この特定の実施形態において、検出器デバイス２００は、色センサ２０２、ＬＥＤ光源２０４、低エネルギーＢｌｕｅｔｏｏｔｈ（ＢＴＬＥ）通信モジュール２０６、及び１つ以上の電池２０８を含む。電池２０８としては例えば、１つ以上の酸化銀電池、ニッケルカドミウム電池、リチウム電池、アルカリ電池、コンデンサ、又は他のエネルギー蓄積デバイスを挙げることができる。電池２０８は使い捨て可能又は再充電可能であってよく、検出器デバイス２００のその他の部品に電力を供給する。一実施形態では、検出器デバイスは、検出器デバイス２００に処理をもたらすための、１つ以上のプロセッサ及びメモリストレージを更に含むことができる。
【０１１９】
おむつの着用者の近くに伝達される電磁（ＥＭ）エネルギーを低減させるために、例えば、通信モジュール２０６の電力、及び／又は伝達時間を制限してもよい。ＢＴＬＥモジュール２０６は例えば、モジュールが稼働する時間のうちの約０．００５％の間、約２ｍＷで動作され得る（およそ、１分あたり１回の送信）。
【０１２０】
図７は、図８に示すものなどの、検出器デバイス３００の外側の例示的実施形態の上面図、下面図、及び側面図を示す。本実施形態において、デバイス３００の上面３０２は、使用中のおむつに対して外側を向き、装飾用デザインを含む。デバイスの下面３０４は、窓３０６を含み、この窓３０６を通して、図６に示すＬＥＤ光源２０４などの光源から、おむつ内に配置されたインジケータへの伝達が行われ得、また、色センサがインジケータの１つ以上の色を検出することができる。図７に示す特定の実施形態では、例えば、複数のねじ３０８又は他のコネクタが、上部構成要素と下部構成要素を互いに固定することができる。側面３１０は、ねじ３０８が取り外された場合に、ユーザが上面３０２及び下面３０４を分離することを補助するための、ノッチ３１２又は他の開口部を含む。
【０１２１】
検出器デバイス３００の容器は、デバイス３００の誤嚥の危険性を防止する寸法及び形状であってよい。容器は、シリコーン、Ｔｅｃａｆｏｒｍ、Ｔｅｃａｎａｔ、又は他の材料などの材料を更に含むことができる。デバイス容器は、子どもへの誘引性を最小限に抑えた、１つ以上の色調を抑えた色もまた含むことができる。
【０１２２】
図８は、図６及び図７に示す検出器デバイスなどの検出器デバイスを受容するように適合されている、おむつの外側の取り付けゾーン４００の例示的実施形態を示す。取り付けゾーン４００は、検出器デバイスのおむつへの取り付けを改善するための、ランディングゾーン材料４０２を含む。ランディングゾーン材料４０２としては例えば、検出器デバイスをおむつの外側表面に機械的に、又は接着により連結するための、ブラシニット又は接着若しくは粘着テープ材料を挙げることができる。ランディングゾーン材料４０２は、検出器デバイスの窓（例えば、図７に示す窓３０６）に対応する窓開口部４０４を含む。特定の一実装において、ランディングゾーン材料４０２は、おむつの外側表面に検出器デバイスを配置することを容易にするために、検出器デバイスに類似した寸法及び形状であることができる。他の、ランディングゾーン材料もまた想定されている。例えば、ループ、フック、接着剤、ストラップ、ボタン、スナップ、ポケット、マグネット、又は他の材料を、おむつ及び／又は検出器デバイスにて使用することができる。
【０１２３】
図９は、おむつ内の１種類以上の身体排泄物を検出するために使用可能な、例示的な動作のフローチャートを示す。本実施形態において、検出器デバイスは、おむつ内のインジケータの１つ以上の状態を検出するための、１つ以上の色センサを含む。上述のとおり、検出器デバイスの色センサは、インジケータの１つ以上のＲＧＢ光量、又はＨＳＢの量を決定することができる。検出器デバイスの通信デバイスは、インジケータの検出された色に基づいた情報を遠隔コンピュータデバイスに提供することができる。遠隔コンピュータデバイスは次に、少なくとも部分的には検出器デバイスから受信された情報に基づいて、１種類以上の身体排泄物の有無、及び／又は量を予測する。遠隔コンピュータデバイスは例えば、検出器デバイスから受信した情報に基づいて、局所的な飽和度（saturation）（例えば排泄物の収容量）レベルを決定することができる。
【０１２４】
遠隔コンピュータデバイスは更に、例えば着用時間、吸収性物品が着用者に取り付けられた時間、現在の時間、吸収性物品のユーザ情報（例えば、乳児の人口統計情報、例えば性別、年齢、着用者の体重、着用者が排泄訓練中であるかどうか、着用者の失禁度）、ユーザの入力情報、介護人の好みの情報、着用者の生物測定情報、周囲のセンサ情報、及び／又は、状況に応じた情報（contextual information）が挙げられるがこれらに限定されない、追加の入力を受け取ることができ、これらの追加入力を個別に、かつ／又は検出器デバイスから受信した情報と組み合わせて使用することができる。
【０１２５】
図９に示す特定の実施形態では、例えば、遠隔コンピュータデバイスは、少なくとも部分的には、検出器デバイスから受信したセンサ情報、並びに状況に応じた情報（例えば、おむつの着用時間及び乳児の人口統計情報）に基づいて、予測されるおむつの充填具合（fullness）レベル（例えば、液体及び／若しくは固体排泄物の収容量などの、吸収性物品における排泄物収容量）、又は状態を決定する。文脈上の情報は例えば、消費者により入力され、他のセンサ又は情報源（例えばサーモスタット）により読み込まれ得る。センサデータは例えば、特性の変化の指標（例えばデジタル又はアナログ、例えば色変化インジケータにおける色変化の強度）、及び着用時間を含むことができる。一実装において、アナログ検出は、異なる排泄物の溜まり具合に関する、インジケータ（例えば色）の較正に基づいてよい。着用時間は例えば、２つの新品のおむつの取り付けの間に決定される時間として説明することができる。
【０１２６】
更に一実施例においては、排泄物の充填具合を、以下の関数により決定することができる：
尿の充填具合＝ｆ（特性変化検出値、着用時間、着用者のデータ及び他のデータ）
特性変化検出値＝ｆ（色センサデータ）
【０１２７】
排泄物の収容量を例えば、検出器デバイス、遠隔ディスプレイ、又は遠隔コンピュータデバイス上に、おむつの充填具合又は残りの容量の割合、又は他の指標を示すために、ユーザに提供することができる。ある特定の実装においては例えば、遠隔ディスプレイ又はコンピュータデバイスは、排泄物の収容量、又は吸収性物品の残りの容量のグラフによる、又は数字による表示を示すことができる。
【０１２８】
特定の排泄物の溜まり量に対する、インジケータの色の較正は例えば、複数の方法により決定することができる。例えば、一実施形態において、異なる溜まり量の吸収性物品を導入して、対応する色を測定することができる。別の実施形態では、所与の溜まり量に関して、色変化を、溜まっていく際に測定した時間に対してマッピングし、時間に対する排泄物の溜まり量を表す運動曲線を提供してもよい。
【０１２９】
図１０は、１つ以上の検出器デバイスの例示的実施形態の、離間した光学センサ６０２と照明要素６０４の対の例示的実施形態を示す。これらの実施形態において、様々なセンサの組み合わせ（例えば光学及び／又は色センサ）が、互いから距離ｄ、離間している。本開示の目的に関して、測定値ｄは、様々な光学センサ６０２と照明要素６０４の最近接点からの、直線測定値である。一例示的実施形態において、例えば、光学センサ６０２及び照明要素６０４は互いから、少なくとも約５ｍｍ離間している。別の実施形態において、光学センサ６０２及び照明要素６０４は少なくとも約８ｍｍ、少なくとも約１０ｍｍ、約１０ｍｍ〜約１５ｍｍ、及び約１０ｍｍ〜２０ｍｍ離間している。
【０１３０】
図１１は、検出器デバイス６２０の別の例示的実施形態を示す。本実施形態において、例えば、光学センサ６２２及び照明要素６２４は互いから、距離ｄ、離間している。検出器デバイス６２０は、通信モジュール６０６、及び一対の電池６０８を更に含む。検出器デバイスの部品を取り囲むように、カバーをしっかりと締結可能とするため、ねじ穴６３０もまた設けられる。上述のとおり、検出器デバイス６２０は、離間した光学センサ６２２及び照明要素６２４に対向した窓を更に含むことができる。
【０１３１】
図１２は、複数の離間した光学センサと照明の対６４２を含む検出器デバイス６４０の別の例示的実施形態を示す。この特定の実施形態において、個別の、離間した光学センサと照明の対６４２の３つの対は、検出器デバイス６４０の異なる位置に配置され、吸収性物品の異なる位置における１つ以上の光学特性の変化を検出するように適合されている。検出器デバイス６４０は、通信モジュール６４６、並びに、電力をセンサ、照明、及び通信モジュール６４６に供給するように適合された電池６４８を更に含む。
【０１３２】
図１３は、複数の離間した光学センサと照明の対６６２を含む、検出器デバイス６６０の更に別の例示的実施形態を示す。この特定の実施形態において、個別の、離間した光学センサと照明の対６６２の５つの対は、検出器デバイス６６０の異なる位置に配置され、吸収性物品の異なる位置における１つ以上の光学特性の変化を検出するように適合されている。検出器デバイス６６０は、通信モジュール６４６、並びに、電力をセンサ、照明、及び通信モジュール６４６に供給するように適合された電池６６８を更に含む。
【０１３３】
図１４は、複数の離間した光学センサと照明の対６８２を含む検出器デバイス６８０の更に別の例示的実施形態を示す。この特定の実施形態において、個別の、離間した光学センサと照明の対６８２の２つの対は、検出器デバイス６８０の異なる位置に配置され、吸収性物品の異なる位置における１つ以上の光学特性の変化を検出するように適合されている。検出器デバイス６８０は、通信モジュール６８６、並びに、電力をセンサ、照明、及び通信モジュール６８６に供給するように適合された電池６８８を更に含む。
【０１３４】
図１５は、吸収性物品７００に隣接して配置された検出器デバイス７０２を含む、吸収性物品７００の例示的実施形態を示す。この特定の実施形態において、検出器デバイスは、複数のセンサ７０４を含む。複数のセンサ７０４のそれぞれは互いから離間しており、吸収性物品７００の、対向する異なる位置７０６に配置されるように適合されている。図１５に示すように、例えば、第１のセンサ７０８が吸収性物品７００の前側領域に対向して配置され、第２のセンサ７１０が吸収性物品７００のクロッチ領域に対向して配置される。第１のセンサ７０８、及び第２のセンサ７１０は例えば、互いから少なくとも約２ｃｍ、互いから少なくとも約３ｃｍ、互いから少なくとも約４ｃｍ、互いから少なくとも約５ｃｍ、又は互いから少なくとも約１０ｃｍ離間していてよい。これによりセンサが、吸収性物品７００の異なる領域における特性の変化（例えば光学／色の特性の変化）を検出することが可能となる。更に、複数のセンサ７０４は同一の又は異なる種類のセンサを含んでよい。
【０１３５】
吸収性物品の複数の領域における変化を測定することにより、検出器デバイスは、排尿のパターンの広範な分布、尿の溜まり具合、食習慣、着用時間中の着用者の動きと活動、着用者の体の寸法など（これらは全て、吸収性物品内での排泄物の分布に影響を及ぼし得る）を考慮して、吸収性物品内の身体排泄物の有無、及び／又は量のより良好な予測をもたらすことが可能となり得る。
【０１３６】
図１６は、吸収性物品７２０内に配置された複数の特性変化インジケータ７２２を含む、吸収性物品７２０の別の例示的実施形態を示す。本実施形態において、例えば、複数の特性変化インジケータ７２２は、少なくとも、第１の種類の第１の特性変化インジケータ７２４、及び、第１の種類とは異なる、第２の種類の第２の特性変化インジケータ７２６を含む。
【０１３７】
図１７は、吸収性物品７４０内に配置された複数の特性変化インジケータ７４２を含む、吸収性物品７４０の更に別の例示的実施形態を示す。本実施形態において、例えば、複数の特性変化インジケータ７４２は、少なくとも、第１の特性変化インジケータ７２４、及び、同じ種類の特性変化インジケータである、第２の特性変化インジケータ７２６を含む。
【０１３８】
インジケータの１つ以上の特性の変化を検出するように適合された、本明細書に記載するセンサに加えて、検出器デバイスは、吸収性物品の特定のインジケータとは関係のない他の条件を検出するように適合された、１つ以上の追加のセンサを更に含むことができる。例えば、検出器デバイスは、以下に限定されるわけではないが、温度センサ、湿度センサ、相対湿度センサ、電気センサ、抵抗センサ、容量性センサ、誘導性センサ、導通センサ、化学センサ、音声センサ、マイクロフォン、歪みゲージ、材料拡張センサ、及び振動センサなどの、１つ以上の追加のセンサを更に含むことができる。
【０１３９】
本明細書に開示した寸法及び値は、記載された正確な数値に厳密に限定されるものと理解されるべきではない。むしろ、特に指定がない限り、そのような各寸法は、記載された値、及びその値の周辺の機能的に同等の範囲の両方を意味することを意図している。例えば「４０ｍｍ」として開示される寸法は、「約４０ｍｍ」を意味するものとする。
【図１】
2019512676.tif 000003
【図２】
2019512676.tif 000004
【図３】
2019512676.tif 000005
【図４】
2019512676.tif 000006
【図５】
2019512676.tif 000007
【図６】
2019512676.tif 000008
【図７】
2019512676.tif 000009
【図８】
2019512676.tif 000010
【図９】
2019512676.tif 000011
【図１０】
2019512676.tif 000012
【図１１】
2019512676.tif 000013
【図１２】
2019512676.tif 000014
【図１３】
2019512676.tif 000015
【図１４】
2019512676.tif 000016
【図１５】
2019512676.tif 000017
【図１６】
2019512676.tif 000018
【図１７】
2019512676.tif 000019
【国際調査報告】
2019512676.tif 000020
2019512676.tif 000021